(57)【要約】【課題】原水の水質に変動が生じた場合に、回収率の設定を変更したり、スケール分散剤の添加量やｐＨ調整剤の添加量の設定を変更したりすることについて、複数の逆浸透膜分離装置を遠隔制御することにより、複数の逆浸透膜分離装置を総合的に管理する。【解決手段】同一水源４から導入される原水Ｗ１から透過水を処理水Ｗ２として分離する複数の逆浸透膜分離装置２ａ〜２ｃを備え、複数の逆浸透膜分離装置２ａ〜２ｃを遠隔制御する遠隔制御部５１は、逆浸透膜モジュール２２ａ〜２２ｃの膜に関する仕様情報と、分析データ格納部５２に格納された原水Ｗ１のシリカ濃度、ランゲリア指数及びリズナー指数のいずれか１つ以上に係る分析データの近時情報とに基づいて、複数の逆浸透膜分離装置２ａ〜２ｃそれぞれに対し、回収率、原水Ｗ１に添加するスケール分散剤の添加量、及び原水Ｗ１に添加するｐＨ調整剤の添加量のいずれか１つを遠隔制御により設定変更する。【選択図】図１
2015231606.tif 000002
【特許請求の範囲】
【請求項１】
同一水源の地域内に設置され、前記同一水源から原水を逆浸透膜モジュールに導入することで原水から透過水を処理水として分離する複数の逆浸透膜分離装置と、
前記複数の逆浸透膜分離装置から地理的に離間した遠隔地に配置され、前記複数の逆浸透膜分離装置と通信可能に接続され、遠隔地から通信により前記複数の逆浸透膜分離装置を遠隔制御する遠隔制御部と、
取得された前記複数の逆浸透膜分離装置に導入される原水のシリカ濃度、ランゲリア指数及びリズナー指数のいずれか１つ以上の分析データを格納する分析データ格納部と、を備え、
前記遠隔制御部は、管理対象となる前記複数の逆浸透膜分離装置の前記逆浸透膜モジュールの膜に関する仕様情報と、前記分析データ格納部に格納された原水のシリカ濃度、ランゲリア指数及びリズナー指数のいずれか１つ以上に係る前記分析データの近時情報とに基づいて、前記複数の逆浸透膜分離装置それぞれに対し、前記逆浸透膜モジュールへ導入される原水の流量に対する処理水の流量の比率である回収率、前記逆浸透膜モジュールへ導入される原水に添加するスケール分散剤の添加量、及び前記逆浸透膜モジュールへ導入される原水に添加するｐＨ調整剤の添加量のいずれか１つを遠隔制御により設定変更する、
逆浸透膜分離装置の遠隔管理制御システム。
【請求項２】
前記複数の逆浸透膜分離装置に組み込まれた前記逆浸透膜モジュールの膜エレメントに関する仕様情報に対応する前記回収率のデータテーブルを前記複数の逆浸透膜分離装置ごとに記憶する記憶部を更に備え、
前記遠隔制御部は、前記逆浸透膜モジュールの前記回収率の設定を変更する場合において、前記分析データ格納部に格納された原水のシリカ濃度、ランゲリア指数及びリズナー指数のいずれか１つの経時変動幅が所定の範囲外の場合に、前記複数の逆浸透膜分離装置それぞれに対し、予め設定された前記回収率が前記データテーブルから選択された新たな回収率に更新されるように遠隔制御により設定変更する、
請求項１に記載の逆浸透膜分離装置の遠隔管理制御システム。
【請求項３】
前記逆浸透膜モジュールに供給される原水にスケール分散剤を添加するスケール分散剤添加手段を更に備え、
前記遠隔制御部は、前記逆浸透膜モジュールへ導入される原水に添加するスケール分散剤の添加量の設定を変更する場合において、原水のシリカ濃度が上昇した場合、又は、ランゲリア指数及びリズナー指数のいずれか１つがスケール生成傾向範囲内にある場合に、前記複数の逆浸透膜分離装置それぞれに対し、前記スケール分散剤添加手段により前記スケール分散剤を添加するように遠隔制御により設定変更する、
請求項１に記載の逆浸透膜分離装置の遠隔管理制御システム。
【請求項４】
前記逆浸透膜モジュールに供給される原水にｐＨ調整剤を添加するｐＨ調整剤添加手段を更に備え、
前記遠隔制御部は、前記逆浸透膜モジュールへ導入される原水に添加するｐＨ調整剤の添加量の設定を変更する場合において、前記複数の逆浸透膜分離装置それぞれに対し、原水のシリカ濃度が上昇した場合に前記ｐＨ調整剤添加手段によりアルカリ性薬剤を添加するように遠隔制御により設定変更し、又は、ランゲリア指数及びリズナー指数のいずれか１つがスケール生成傾向範囲内にある場合に前記ｐＨ調整剤添加手段により酸性薬剤を添加するように遠隔制御により設定変更する、
請求項１に記載の逆浸透膜分離装置の遠隔管理制御システム。
【発明の詳細な説明】
【技術分野】
【０００１】
本発明は、同一水源の地域内に設置される複数の逆浸透膜分離装置を遠隔制御する逆浸透膜分離装置の遠隔管理制御システムに関する。
【背景技術】
【０００２】
従来、複数の水処理装置と、複数の水処理装置と通信可能に接続されて複数の水処理装置を遠隔で監視制御する遠隔監視制御装置と、を備える遠隔監視制御システムが知られている（例えば、特許文献１参照）。特許文献１に記載の遠隔監視制御システムにおいては、複数の水処理装置から取得した監視情報の分析結果に基づいて、この監視情報の取得元の水処理装置と同じ水処理装置や、この監視情報の取得元の水処理装置と異なる水処理装置に対して、統括的な遠隔監視制御を行うことができるとされている。
特許文献１に記載の遠隔監視制御システムにおいては、複数の水処理装置は、工場から排出される廃水を濾過（処理）するものである。
【先行技術文献】
【特許文献】
【０００３】
【特許文献１】特許第５２５９４６７号公報
【発明の概要】
【発明が解決しようとする課題】
【０００４】
水処理装置が逆浸透膜分離装置の場合には、逆浸透膜分離装置は、地下水等の原水から、逆浸透膜モジュール（以下、「ＲＯ膜モジュール」ともいう）により、透過水と濃縮水とに分離するように構成される。ここで、原水のシリカ濃度が高い場合には、ＲＯ膜モジュールの膜面にシリカ系スケールが析出しやすい。また、所定のスケールを生成するスケール生成傾向（炭酸カルシウムが溶解度を超えて析出しやすい水質バランス）の範囲内に原水のランゲリア指数やリズナー指数がある場合には、ＲＯ膜モジュールの膜面に炭酸カルシウム系スケールが析出しやすい。
ランゲリア指数及びリズナー指数は、水の腐食傾向およびスケール生成傾向を評価する指標として用いられる。ランゲリア指数がゼロよりも高い場合には、スケール生成傾向にあるとされる。また、リズナー指数が６よりも低い場合には、スケール生成傾向にあるとされる。
【０００５】
逆浸透膜分離装置において、原水がスケール生成傾向にある場合には、回収率（ＲＯ膜モジュールへ導入される原水の流量に対する透過水の流量の比率）の設定を変更したり、原水に添加されるスケール分散剤の添加量やｐＨ調整剤の添加量の設定を変更したりすることが、一般的に行われている。ここで、回収率や、スケール分散剤の添加量やｐＨ調整剤の添加量の好ましい設定値は、逆浸透膜分離装置のＲＯ膜モジュールの膜に関する仕様などによって異なり、逆浸透膜分離装置に導入される原水の水質によっても異なる。
【０００６】
そのため、複数の逆浸透膜分離装置において、原水の水質に変動が生じた場合に、回収率の設定を変更したり、スケール分散剤の添加量やｐＨ調整剤の添加量の設定を変更したりすることついて、遠隔地から遠隔制御ができれば、複数の逆浸透膜分離装置を総合的に管理することができるため、非常に有用である。
従って、複数の逆浸透膜分離装置を備える構成において、原水の水質に変動が生じた場合に、回収率の設定を変更したり、スケール分散剤の添加量やｐＨ調整剤の添加量の設定を変更したりすることについて、複数の逆浸透膜分離装置を遠隔制御して、逆浸透膜分離装置を総合的に管理することが望まれる。
【０００７】
本発明は、原水の水質に変動が生じた場合に、回収率の設定を変更したり、スケール分散剤の添加量やｐＨ調整剤の添加量の設定を変更したりすることについて、複数の逆浸透膜分離装置を遠隔制御することにより、複数の逆浸透膜分離装置を総合的に管理することができる逆浸透膜分離装置の遠隔管理制御システムを提供することを目的とする。
【課題を解決するための手段】
【０００８】
本発明は、同一水源の地域内に設置され、前記同一水源から原水を逆浸透膜モジュールに導入することで原水から透過水を処理水として分離する複数の逆浸透膜分離装置と、前記複数の逆浸透膜分離装置から地理的に離間した遠隔地に配置され、前記複数の逆浸透膜分離装置と通信可能に接続され、遠隔地から通信により前記複数の逆浸透膜分離装置を遠隔制御する遠隔制御部と、取得された前記複数の逆浸透膜分離装置に導入される原水のシリカ濃度、ランゲリア指数及びリズナー指数のいずれか１つ以上の分析データを格納する分析データ格納部と、を備え、前記遠隔制御部は、管理対象となる前記複数の逆浸透膜分離装置の前記逆浸透膜モジュールの膜に関する仕様情報と、前記分析データ格納部に格納された原水のシリカ濃度、ランゲリア指数及びリズナー指数のいずれか１つ以上に係る前記分析データの近時情報とに基づいて、前記複数の逆浸透膜分離装置それぞれに対し、前記逆浸透膜モジュールへ導入される原水の流量に対する処理水の流量の比率である回収率、前記逆浸透膜モジュールへ導入される原水に添加するスケール分散剤の添加量、及び前記逆浸透膜モジュールへ導入される原水に添加するｐＨ調整剤の添加量のいずれか１つを遠隔制御により設定変更する、逆浸透膜分離装置の遠隔管理制御システムに関する。
【０００９】
また、前記複数の逆浸透膜分離装置に組み込まれた前記逆浸透膜モジュールの膜エレメントに関する仕様情報に対応する前記回収率のデータテーブルを前記複数の逆浸透膜分離装置ごとに記憶する記憶部を更に備え、前記遠隔制御部は、前記逆浸透膜モジュールの前記回収率の設定を変更する場合において、前記分析データ格納部に格納された原水のシリカ濃度、ランゲリア指数及びリズナー指数のいずれか１つの経時変動幅が所定の範囲外の場合に、前記複数の逆浸透膜分離装置それぞれに対し、予め設定された前記回収率が前記データテーブルから選択された新たな回収率に更新されるように遠隔制御により設定変更することが好ましい。
【００１０】
また、前記逆浸透膜モジュールに供給される原水にスケール分散剤を添加するスケール分散剤添加手段を更に備え、前記遠隔制御部は、前記逆浸透膜モジュールへ導入される原水に添加するスケール分散剤の添加量の設定を変更する場合において、原水のシリカ濃度が上昇した場合、又は、ランゲリア指数及びリズナー指数のいずれか１つがスケール生成傾向範囲内にある場合に、前記複数の逆浸透膜分離装置それぞれに対し、前記スケール分散剤添加手段により前記スケール分散剤を添加するように遠隔制御により設定変更することが好ましい。
【００１１】
また、前記逆浸透膜モジュールに供給される原水にｐＨ調整剤を添加するｐＨ調整剤添加手段を更に備え、前記遠隔制御部は、前記逆浸透膜モジュールへ導入される原水に添加するｐＨ調整剤の添加量の設定を変更する場合において、前記複数の逆浸透膜分離装置それぞれに対し、原水のシリカ濃度が上昇した場合に前記ｐＨ調整剤添加手段によりアルカリ性薬剤を添加するように遠隔制御により設定変更し、又は、ランゲリア指数及びリズナー指数のいずれか１つがスケール生成傾向範囲内にある場合に前記ｐＨ調整剤添加手段により酸性薬剤を添加するように遠隔制御により設定変更することが好ましい。
【発明の効果】
【００１２】
本発明によれば、本発明は、原水の水質に変動が生じた場合に、回収率の設定を変更したり、スケール分散剤の添加量やｐＨ調整剤の添加量の設定を変更したりすることについて、複数の逆浸透膜分離装置を遠隔制御することにより、複数の逆浸透膜分離装置を総合的に管理することができる逆浸透膜分離装置の遠隔管理制御システムを提供することができる。
【図面の簡単な説明】
【００１３】
【図１】本発明の一実施形態に係る逆浸透膜分離装置の遠隔管理制御システム１の全体構成図である。
【図２】本実施形態の水質検出装置９の構成を示すブロック図である。
【図３】本実施形態の逆浸透膜分離装置の遠隔管理制御システム１の制御に係る機能ブロック図である。
【図４】本実施形態の逆浸透膜分離装置の遠隔管理制御システム１の第１動作例の処理手順を示すフローチャートである。
【図５】本実施形態の逆浸透膜分離装置の遠隔管理制御システム１の第２動作例の処理手順を示すフローチャートである。
【図６】本実施形態の逆浸透膜分離装置の遠隔管理制御システム１の第３動作例の処理手順を示すフローチャートである。
【図７】本実施形態の逆浸透膜分離装置の遠隔管理制御システム１の第４動作例の処理手順を示すフローチャートである。
【図８】本実施形態の逆浸透膜分離装置の遠隔管理制御システム１の第５動作例の処理手順を示すフローチャートである。
【図９】本実施形態の逆浸透膜分離装置の遠隔管理制御システム１の第６動作例の処理手順を示すフローチャートである。
【図１０】本実施形態の逆浸透膜分離装置の遠隔管理制御システム１の第７動作例の処理手順を示すフローチャートである。
【図１１】本実施形態の逆浸透膜分離装置の遠隔管理制御システム１の第８動作例の処理手順を示すフローチャートである。
【図１２】本実施形態の逆浸透膜分離装置の遠隔管理制御システム１の第９動作例の処理手順を示すフローチャートである。
【発明を実施するための形態】
【００１４】
以下、本発明の逆浸透膜分離装置の遠隔管理制御システム１の一実施形態について、図面を参照しながら説明する。図１は、本発明の逆浸透膜分離装置の遠隔管理制御システム１の全体構成図である。図２は、本実施形態の水質検出装置９の構成を示すブロック図である。図３は、本実施形態の逆浸透膜分離装置の遠隔管理制御システム１の制御に係る機能ブロック図である。
【００１５】
図１に示すように、本実施形態の逆浸透膜分離装置の遠隔管理制御システム１は、ネットワーク３を介して、遠隔地から通信により複数の逆浸透膜分離装置２ａ〜２ｃを遠隔制御する。ネットワーク３は、有線通信又は無線通信による広域の通信網である。
【００１６】
逆浸透膜分離装置の遠隔管理制御システム１は、水源４と、複数の逆浸透膜分離装置２ａ〜２ｃと、遠隔制御装置５と、複数の原水ラインＬ１ａ〜Ｌ１ｃと、複数の処理水ラインＬ２ａ〜Ｌ２ｃと、複数の濃縮水導出ラインＬ３ａ〜Ｌ３ｃと、複数の濃縮水リターンラインＬ３１ａ〜Ｌ３１ｃと、複数の濃縮水排出ラインＬ３２ａ〜Ｌ３２ｃと、複数の比例制御弁１０ａ〜１０ｃと、複数のスケール分散剤添加手段としてのスケール分散剤添加装置６ａ〜６ｃと、複数のｐＨ調整剤添加手段としてのｐＨ調整剤添加装置７ａ〜７ｃと、複数のシリカ濃度センサ８ａ〜８ｃと、複数の水質検出装置９ａ〜９ｃと、を備える。「ライン」とは、流路、経路、管路等の流体の流通が可能なラインの総称である。
【００１７】
複数の逆浸透膜分離装置２ａ〜２ｃは、同一の水源４の地域内に設置される。同一の水源４の地域内とは、同一の水源４からの原水Ｗ１を供給可能な地域内をいう。同一の水源４の地域内に設置される複数の逆浸透膜分離装置２ａ〜２ｃには、例えば、同一会社における地理的に離間した異なる事業所や離間した敷地内に設置される複数の逆浸透膜分離装置や、地理的に離間した地域において複数のユーザに使用される複数の逆浸透膜分離装置や、別会社における地理的に離間した地域に設置される複数の逆浸透膜分離装置が含まれる。なお、複数の逆浸透膜分離装置２ａ〜２ｃは、全てが離間して設置されていなくてもよく、一部又は全部が近くに設置されていてもよい。
【００１８】
逆浸透膜分離装置２ａは、例えば、ユーザＸの使用する逆浸透膜分離装置である。逆浸透膜分離装置２ｂは、例えば、ユーザＹの使用する逆浸透膜分離装置である。逆浸透膜分離装置２ｃは、例えば、ユーザＺの使用する逆浸透膜分離装置である。なお、複数の逆浸透膜分離装置２ａ〜２ｃを使用するユーザは、これに限定されず、例えば、逆浸透膜分離装置２ａ及び２ｂがユーザＸの使用する逆浸透膜分離装置であってもよく、逆浸透膜分離装置２ｃがユーザＹの使用する逆浸透膜分離装置であってもよい。この場合において、例えば、ユーザＸの使用する逆浸透膜分離装置２ａ及び２ｂが近接した位置に設置され、ユーザＹの使用する逆浸透膜分離装置２ｃがユーザＸの使用する逆浸透膜分離装置２ａ及び２ｂから地理的に離間した位置に設置されてもよい。
【００１９】
複数の逆浸透膜分離装置２ａ〜２ｃは、それぞれ、加圧ポンプ２１ａ〜２１ｃと、逆浸透膜モジュールとしてのＲＯ膜モジュール２２ａ〜２２ｃと、ＲＯ制御部２３ａ〜２３ｃと、記憶部としてのＲＯ記憶部２４ａ〜２４ｃと、を備える。複数の逆浸透膜分離装置２ａ〜２ｃそれぞれには、原水ラインＬ１ａ〜Ｌ１ｃを介して、同一水源４（例えば、井戸，河川，貯水池等）から、原水Ｗ１が供給される。一般的な原水ラインＬ１ａ〜Ｌ１ｃは、地方自治体や地方公共団体等が敷設・管理する水道管網（例えば、工業用水道や上水道等）と、各ユーザが敷設・管理する給水管路とから構成されている。原水ラインＬ１ａ〜Ｌ１ｃは、上流側において水源４に接続されており、下流側において複数の逆浸透膜分離装置２ａ〜２ｃそれぞれに接続されている。複数の逆浸透膜分離装置２ａ〜２ｃの詳細については後述する。
【００２０】
原水ラインＬ１ａ〜Ｌ１ｃの途中には、上流側から下流側に向けて、シリカ濃度センサ８ａ〜８ｃ、水質検出装置９ａ〜９ｃ、スケール分散剤添加装置６ａ〜６ｃ、ｐＨ調整剤添加装置７ａ〜７ｃが順に接続されている。スケール分散剤添加装置６ａ〜６ｃそれぞれは、原水ラインＬ１ａ〜Ｌ１ｃの途中の接続部Ｊ１ａ〜Ｊ１ｃに接続されている。ｐＨ調整剤添加装置７ａ〜７ｃそれぞれは、原水ラインＬ１ａ〜Ｌ１ｃの途中の接続部Ｊ２ａ〜Ｊ２ｃに接続されている。シリカ濃度センサ８ａ〜８ｃそれぞれは、原水ラインＬ１ａ〜Ｌ１ｃの途中の接続部Ｊ３ａ〜Ｊ３ｃに接続されている。水質検出装置９ａ〜９ｃそれぞれは、原水ラインＬ１ａ〜Ｌ１ｃの途中の接続部Ｊ４ａ〜Ｊ４ｃに接続されている。
【００２１】
スケール分散剤添加装置６ａ〜６ｃは、逆浸透膜分離装置２ａ〜２ｃのＲＯ膜モジュール２２ａ〜２２ｃに供給される原水Ｗ１にスケール分散剤を添加する装置である。スケール分散剤添加装置６ａ〜６ｃは、原水Ｗ１のシリカ濃度が上昇した場合や、原水Ｗ１のランゲリア指数（後述）やリズナー指数（後述）がスケールを生成する傾向にある場合には、スケール分散剤を添加することにより、濃縮水Ｗ３ａ〜Ｗ３ｃ（後述）中での炭酸カルシウム系スケール及びシリカ系スケールの析出を抑制する。例えば、スケール分散剤添加装置６ａ〜６ｃは、ポリカルボン酸塩やリン酸塩等のスケール分散剤を、原水ラインＬ１ａ〜Ｌ１ｃを流通する原水Ｗ１に添加するように構成されている。スケール分散剤添加装置６ａ〜６ｃは、ネットワーク３を介して、遠隔制御装置５に接続されており、遠隔制御部５１により遠隔制御される。
【００２２】
ｐＨ調整剤添加装置７ａ〜７ｃは、逆浸透膜分離装置２ａ〜２ｃのＲＯ膜モジュール２２ａ〜２２ｃに供給される原水Ｗ１にｐＨ調整剤を添加する装置である。例えば、ｐＨ調整剤添加装置７ａ〜７ｃは、ｐＨ調整剤として、所定のアルカリ性薬剤（例えば、水酸化ナトリウム）、又は、所定の酸性薬剤（例えば、塩酸）を、原水ラインＬ１ａ〜Ｌ１ｃを流通する原水Ｗ１に添加するように構成されている。
【００２３】
ｐＨ調整剤添加装置７ａ〜７ｃは、原水Ｗ１のシリカ濃度が上昇した場合には、アルカリ性薬剤を原水Ｗ１に添加することにより、濃縮水Ｗ３ａ〜Ｗ３ｃ（後述）中でのシリカ系スケールの析出を抑制する。ｐＨ調整剤添加装置７ａ〜７ｃは、原水Ｗ１のランゲリア指数（後述）やリズナー指数（後述）がスケールを生成するスケール生成傾向の範囲内（炭酸カルシウムが溶解度を超えて析出しやすい水質バランス）にある場合には、酸性薬剤を原水Ｗ１に添加することにより、濃縮水Ｗ３ａ〜Ｗ３ｃ（後述）中での炭酸カルシウム系スケールの析出を抑制する。ｐＨ調整剤添加装置７ａ〜７ｃは、ネットワーク３を介して、遠隔制御装置５に接続されており、遠隔制御部５１により遠隔制御される。
【００２４】
ｐＨ調整剤添加装置７ａ〜７ｃにおけるｐＨ調整剤を添加する制御方法としては、例えば、逆浸透膜分離装置２ａ〜２ｃに供給される原水Ｗ１の流量に比例して、ｐＨ調整剤を定率で添加する制御方法がある。
また、ｐＨ調整剤を添加する制御方法として、例えば、所定間隔毎にｐＨ調整剤を添加する制御方法を用いることができる。この制御方法において、添加間隔を変えずに添加量を添加毎に変える制御方法や、添加量を添加毎には変えずに添加間隔を変える制御方法を採用することができる。
【００２５】
シリカ濃度センサ８ａ〜８ｃは、原水ラインＬ１ａ〜Ｌ１ｃを流通する原水Ｗ１（スケール分散剤又はｐＨ調整剤が添加される前の原水）のシリカ濃度を検出するセンサである。シリカ濃度センサ８ａ〜８ｃとしては、例えば、七モリブデン酸六アンモニウムを含む試薬を添加したときの発色により、濃度を検出する比色式センサが用いられる。比色式センサは、所定量の試料水を収容した透明容器へ試薬を添加し、シリカと七モリブデン酸六アンモニウムとの反応による試料水の発色度合を、特定波長の光を照射したときの吸光度から測定する。そして、比色式センサは、測定された吸光度に基づいて、試料水中のシリカ濃度を測定（検出）する。シリカ濃度センサ８ａ〜８ｃそれぞれは、逆浸透膜分離装置２ａ〜２ｃに電気的に接続されている。シリカ濃度センサ８ａ〜８ｃに検出されたシリカ濃度の検出値は、逆浸透膜分離装置２ａ〜２ｃへ入力される。なお、シリカ濃度センサ８ａ〜８ｃそれぞれは、ネットワーク３を介して、遠隔制御装置５に接続されもよい。シリカ濃度センサ８ａ〜８ｃが遠隔制御装置５に接続される場合には、シリカ濃度センサ８ａ〜８ｃに検出されたシリカ濃度の検出値は遠隔制御装置５に入力され、遠隔制御装置５の不図示のメモリに保存される。
【００２６】
水質検出装置９ａ〜９ｃは、原水ラインＬ１ａ〜Ｌ１ｃを流通する原水Ｗ１（スケール分散剤又はｐＨ調整剤が添加される前の原水）の水質を検出する。水質検出装置９ａ〜９ｃは、ランゲリア指数又はリズナー指数を算出する際に用いられる水質に関する情報を検出する。水質検出装置９ａ〜９ｃにより検出された水質の検出値は、逆浸透膜分離装置２ａ〜２ｃへ入力される。
【００２７】
水質検出装置９ａ〜９ｃは、図２に示すように、ｐＨ値センサ９１と、温度センサ９２と、電気伝導率センサ９３と、カルシウム硬度センサ９４と、総アルカリ度センサ９５とを有する。ｐＨ値センサ９１、温度センサ９２、電気伝導率センサ９３、カルシウム硬度センサ９４、総アルカリ度センサ９５それぞれにより検出される検出値は、逆浸透膜分離装置２ａ〜２ｃへ入力される。ｐＨ値センサ９１、温度センサ９２、電気伝導率センサ９３、カルシウム硬度センサ９４、総アルカリ度センサ９５それぞれにより検出される検出値は、逆浸透膜分離装置２ａ〜２ｃのランゲリア指数算出部２３２（図３参照、後述）がランゲリア指数を算出する際に用いられ、又は、逆浸透膜分離装置２ａ〜２ｃのリズナー指数算出部２３３（図３参照、後述）がリズナー指数を算出する際に用いられる。なお、水質検出装置９ａ〜９ｃそれぞれは、ネットワーク３を介して、遠隔制御装置５に接続されもよい。水質検出装置９ａ〜９ｃが遠隔制御装置５に接続される場合には、水質検出装置９ａ〜９ｃに検出されたＨ値センサ９１、温度センサ９２、電気伝導率センサ９３、カルシウム硬度センサ９４、及び総アルカリ度センサ９５の検出値は遠隔制御装置５に入力され、ランゲリア指数の算出値又はリズナー指数の算出値が遠隔制御装置５の不図示のメモリに保存される。
【００２８】
ｐＨ値センサ９１は、原水ラインＬ１を流通する原水Ｗ１のｐＨ値を検出するセンサである。温度センサ９２は、原水ラインＬ１を流通する原水Ｗ１の水温を検出するセンサである。電気伝導率センサ９３は、原水ラインＬ１を流通する原水Ｗ１の電気伝導率を検出するセンサである。
【００２９】
カルシウム硬度センサ９４は、原水ラインＬ１を流通する原水Ｗ１のカルシウム硬度を検出するセンサである。カルシウム硬度センサ９４としては、例えば、２−ヒドロキシ−１−（２’−ヒドロキシ−４’−スルホ−１’−ナフチルアゾ）−３−ナフトエ酸（略称：ＨＳＮＮ）を含む試薬を添加したときの発色により、カルシウム硬度を検出する比色式センサが用いられる。比色式センサは、所定量の試料水を収容した透明容器へ試薬を添加し、カルシウムイオンとＨＳＮＮとの反応による試料水の色相変化を、特定波長の光を照射したときの吸光度から測定する。そして、比色式センサは、測定された吸光度に基づいて、試料水中のカルシウム硬度を測定（検出）する。
【００３０】
総アルカリ度センサ９５は、原水ラインＬ１を流通する原水Ｗ１の総アルカリ度を検出するセンサである。総アルカリ度とは、水中に含まれる炭酸水素塩、炭酸塩、水酸化物等のアルカリ成分の量を炭酸カルシウム（ＣａＣＯ３）の量に換算して表わしたものであり、ＪＩＳ規格では、酸消費量（ｐＨ４．８）と称される。総アルカリ度センサ９５としては、例えば、メチルオレンジを含む試薬を添加したときの発色により、総アルカリ度を検出する比色式センサが用いられる。比色式センサは、所定量の試料水を収容した透明容器へ試薬を添加し、アルカリ成分とメチルオレンジの反応による試料水の発色度合を、特定波長の光を照射したときの吸光度から測定する。そして、比色式センサは、測定された吸光度に基づいて、試料水中の総アルカリ度を測定（検出）する。
【００３１】
複数の逆浸透膜分離装置２ａ〜２ｃそれぞれは、同一水源４から原水Ｗ１をＲＯ膜モジュール２２ａ〜２２ｃに導入することで、原水Ｗ１から透過水（処理水）Ｗ２ａ〜Ｗ２ｃと、濃縮水Ｗ３ａ〜Ｗ３ｃとに分離する。複数の逆浸透膜分離装置２ａ〜２ｃそれぞれは、製造された処理水Ｗ２ａ〜Ｗ２ｃを、処理水ラインＬ２ａ〜Ｌ２ｃを介して、需要箇所へ供給する。処理水ラインＬ２ａ〜Ｌ２ｃは、上流側において複数の逆浸透膜分離装置２ａ〜２ｃそれぞれに接続されており、下流側において需要箇所に接続されている。
【００３２】
なお、以下の説明において、複数又は単数を区別する必要がない場合には、複数の逆浸透膜分離装置２ａ〜２ｃ、複数の加圧ポンプ２１ａ〜２１ｃ、複数のＲＯ膜モジュール２２ａ〜２２ｃ、複数のＲＯ制御部２３ａ〜２３ｃ、複数のＲＯ記憶部２４ａ〜２４ｃ、処理水Ｗ２ａ〜２ｃ、濃縮水Ｗ３ａ〜Ｗ３ｃ、スケール分散剤添加装置６ａ〜６ｃ、ｐＨ調整剤添加装置７ａ〜７ｃ、シリカ濃度センサ８ａ〜８ｃ、水質検出装置９ａ〜９ｃの識別記号である「ａ」、「ｂ」、「ｃ」については省略して、単に「逆浸透膜分離装置２」、「加圧ポンプ２１」、「ＲＯ膜モジュール２２」、「ＲＯ制御部２３」、「処理水Ｗ２」、「スケール分散剤添加装置６」、「ｐＨ調整剤添加装置７」、「シリカ濃度センサ８」、「水質検出装置９」と記載する。また、後述する「濃縮水Ｗ３の一部Ｗ３１」、「濃縮水Ｗ３の残部Ｗ３２」等についても、同様に記載する。
【００３３】
逆浸透膜分離装置２ａ〜２ｃは、前述の通り、それぞれ、上流側に設けられる加圧ポンプ２１ａ〜２１ｃと、下流側に設けられる逆浸透膜モジュールとしてのＲＯ膜モジュール２２ａ〜２２ｃとにより構成される。
【００３４】
ＲＯ膜モジュール２２は、加圧ポンプ２１により圧送された原水Ｗ１を、溶存塩類が除去された透過水（処理水）Ｗ２と、溶存塩類が濃縮された濃縮水Ｗ３と、に分離する。ＲＯ膜モジュール２２は、単一又は複数のスパイラル型ＲＯ膜エレメント（図示せず）を圧力容器（ベッセル）に収容して構成される。当該ＲＯ膜エレメントに使用されるＲＯ膜としては、架橋芳香族ポリアミド系複合膜等が例示される。架橋芳香族ポリアミド系複合膜からなるＲＯ膜エレメントとしては、東レ社製：型式名「ＴＭＧ２０−４００」、ウンジン・ケミカル社製：型式名「ＲＥ８０４０−ＢＬＦ」、日東電工社製：型式名「ＥＳＰＡ１」等が市販されており、これらのエレメントを好適に用いることができる。
ＲＯ膜は、分子量が数十程度のものを濾過可能な膜である。このＲＯ膜には、ナノ濾過膜（ＮＦ膜）も含まれる。ナノ濾過膜は、２ｎｍ程度よりも小さい粒子や高分子（分子量が最大数百程度の物質）の透過を阻止可能な液体分離膜である。なお、ナノ濾過膜は、ルーズＲＯ膜と呼ばれることもある。
【００３５】
加圧ポンプ２１は、水源４から供給される原水Ｗ１を加圧し、ＲＯ膜モジュール２２に送出する。ここで、ＲＯ膜モジュール２２からの透過水Ｗ２の流量を検出する流量センサ（図示せず）と、加圧ポンプ２１の回転数を駆動周波数に応じて可変させるインバータ（図示せず）と、流量センサからの流量検知信号に基づいて、インバータへ指令信号を出力する流量制御部２３１（図３参照、後述）とを備えることが好ましい。この構成によれば、流量センサにより検出される透過水Ｗ２の流量に基づくフィードバック制御により、透過水Ｗ２の流量を一定に維持するように制御を行うことができる。
【００３６】
これにより、水温の変動などで処理流量が変化するような場合であっても、加圧ポンプ２１の回転数が流量制御部２３１により自動的に調整されて、透過水Ｗ２の流量を一定に制御することができる。
【００３７】
この逆浸透膜分離装置の遠隔管理制御システム１によれば、同一水源４から供給された原水Ｗ１は、原水ラインＬ１を介して逆浸透膜分離装置２に送出される。逆浸透膜分離装置２に流入した原水Ｗ１は、逆浸透膜分離装置２により最終的に浄化された透過水としての処理水Ｗ２となる。処理水（透過水）Ｗ２は、処理水ラインＬ２を介して需要箇所へ供給される。逆浸透膜分離装置２によって濃縮された濃縮水Ｗ３については、一部Ｗ３１が濃縮水リターンラインＬ３１を介して、原水ラインＬ１に戻されると共に、残部Ｗ３２が濃縮水排出ラインＬ３２を介して系外に排出される。
【００３８】
逆浸透膜分離装置２の周辺には、透過水（処理水）Ｗ２が流通可能な処理水ラインＬ２と、濃縮水Ｗ３が流通可能な濃縮水導出ラインＬ３と、濃縮水Ｗ３の一部Ｗ３１を原水ラインＬ１へ返送する濃縮水リターンラインＬ３１と、濃縮水Ｗ３の残部Ｗ３２を系外へ排出する濃縮水排出ラインＬ３２と、が設けられている。
【００３９】
処理水ラインＬ２は、ＲＯ膜を透過した透過水Ｗ２を装置外へ導出するラインである。処理水ラインＬ２は、ＲＯ膜モジュール２に接続され、ＲＯ膜モジュール２２により製造された透過水（処理水）Ｗ２を需要箇所へ供給（導出）する。
【００４０】
濃縮水導出ラインＬ３は、ＲＯ膜を透過しない濃縮水Ｗ３が流通するラインである。濃縮水導出ラインＬ３は、ＲＯ膜モジュール２２に接続され、ＲＯ膜モジュール２２により製造された濃縮水Ｗ３を導出する。
【００４１】
濃縮水リターンラインＬ３１は、ＲＯ膜モジュール２２で分離された濃縮水Ｗ３の一部Ｗ３１を、濃縮水導出ラインＬ３を介して、原水ラインＬ１へ返送するラインである。濃縮水リターンラインＬ３１の上流側の端部は、濃縮水導出ラインＬ３の下流側の端部Ｊ６に接続されている。ＲＯ濃縮水リターンラインＬ３１の下流側の端部は、接続部Ｊ５において原水ラインＬ１に接続されている。
【００４２】
濃縮水排出ラインＬ３２は、ＲＯ膜モジュール２２で分離された濃縮水Ｗ３の残部Ｗ３２を、濃縮水導出ラインＬ３を介して、装置外へ排出するラインである。濃縮水排出ラインＬ３２の上流側の端部は、濃縮水導出ラインＬ３の下流側の端部Ｊ６に接続されている。
【００４３】
濃縮水排出ラインＬ３２の途中には、逆浸透膜分離装置２の回収率を変更可能な濃縮水排水バルブ１０が設けられている。逆浸透膜分離装置２の回収率は、一般的に、下記式により求められる。
回収率［％］＝透過水流量／給水流量×１００＝透過水流量／（透過水流量＋排水流量）×１００
本実施形態においては、回収率の式において、排水流量は、装置外へ排出される濃縮水の残部Ｗ３２の流量に相当する。給水流量は、原水Ｗ１（濃縮水Ｗ３の一部Ｗ３１が混合される前の原水Ｗ１）の流量に相当する。透過水流量は、処理水（透過水）Ｗ２の流量に相当する。すなわち、本実施形態においては、回収率は、ＲＯ膜モジュール２２に供給される原水Ｗ１（濃縮水Ｗ３の一部Ｗ３１が混合される前の原水Ｗ１）の流量Ｑ１に対する処理水（透過水）Ｗ２の流量Ｑ２の割合（すなわち、Ｑ２／Ｑ１×１００）（％）である。
【００４４】
逆浸透膜分離装置２は、一般的に、このような回収率を設定して運転される。濃縮水Ｗ３のシリカ濃度がシリカの溶解度を超えると膜面にシリカが析出しやすいため、回収率は、シリカが析出しない範囲で設定される。
【００４５】
濃縮水排水バルブ１０は、濃縮水排出ラインＬ３２を開閉することにより逆浸透膜分離装置２の回収率を調整する。詳細には、透過水流量が一定の条件の下、濃縮水排水バルブ１０は、濃縮水Ｗ３が排出される流量を調整することにより、逆浸透膜分離装置２の回収率を調整する。濃縮水排水バルブ１０の開度が大きい場合には、濃縮水Ｗ３が排出される流量が多いため、回収率は低くなる。濃縮水排水バルブ１０の開度が小さい場合には、濃縮水Ｗ３が排出される流量が少ないため、回収率は高くなる。
【００４６】
濃縮水排水バルブ１０は、例えば、比例制御弁からなり、遠隔制御部５１の制御により、排水流量を無段階に調整するように構成されている。なお、濃縮水排水バルブ１０は、濃縮水排出ラインＬ３２に並列配置した複数個の電磁弁等の開閉弁により排水流量を段階的に調整するように構成することもできる。
【００４７】
ＲＯ制御部２３は、図３に示すように、流量制御部２３１と、ランゲリア指数算出部２３２と、リズナー指数算出部２３３と、を有する。
流量制御部２３１は、加圧ポンプ２１の駆動周波数を演算し、当該駆動周波数の演算値に対応する周波数指定信号（電流値信号又は電圧値信号）をインバータ（不図示）に出力する。流量制御部２３１では、流量センサからの流量検知信号をフィードバック値として、速度形デジタルＰＩＤアルゴリズムにより、加圧ポンプ２１の駆動周波数を演算する。
【００４８】
ランゲリア指数算出部２３２は、水質検出装置９ａ〜９ｃにより検出された水質の検出値に基づいて、原水Ｗ１のランゲリア指数（Ｌａｎｇｅｌｉａｒ  Ｓａｔｕｒａｔｉｏｎ  Ｉｎｄｅｘ；以下「ＬＳＩ」ともいう）を算出する。なお、ランゲリア指数は、飽和指数とも呼ばれる。ランゲリア指数は、水の腐食傾向およびスケール生成傾向を評価する指標として用いられる。ランゲリア指数（ＬＳＩ）は、下記（１）式により求められる。
ＬＳＩ＝ｐＨ−ｐＨｓ・・・（１）
ここで、ｐＨは、水の実際のｐＨ値である。また、ｐＨｓは、水中に炭酸カルシウムが溶解も析出もしない平衡状態にあるときの理論上のｐＨ値である。
【００４９】
ｐＨｓは、下記（２）式により求められる。
ｐＨｓ＝９．３＋Ａ値＋Ｂ値−Ｃ値−Ｄ値・・・（２）
ここで、Ａ値は、蒸発残留物濃度により定まる補正値である。蒸発残留物濃度は、電気伝導率と相関があるため、所定の換算式を用いて電気伝導率から蒸発残留物濃度を求めることができる。Ｂ値は、水温により定まる補正値である。Ｃ値は、カルシウム硬度により定まる補正値である。Ｄ値は、総アルカリ度により定まる補正値である。Ａ〜Ｄ値は、前述の水質検出装置９の検出値から関係式を用いて、或いは数値テーブルを参照して求めることができる。
【００５０】
ランゲリア指数は、正（プラス）の値で絶対値が大きいほど炭酸カルシウムの析出が促進される。そのため、ランゲリア指数が正（プラス）の値で数値が大きいほど、配管等の金属材料の腐食が抑制される。一方、ランゲリア指数は、負（マイナス）の値で絶対値が小さいほど炭酸カルシウムの析出が抑制される。そのため、ランゲリア指数が負（マイナス）の値で数値が小さいほど、配管等の金属材料の腐食が促進される。また、ランゲリア指数が０（ゼロ）の場合には、炭酸カルシウムが析出も溶解もしない平衡状態にある。
【００５１】
つまり、ランゲリア指数が０（ゼロ）以下の場合には、水系が腐食性の傾向にあることを示す。ランゲリア指数を０（ゼロ）以下とすることにより、炭酸カルシウムの析出を抑制することができる。また、ランゲリア指数が０（ゼロ）以上の場合には、水系がスケール性の傾向にあることを示す。ランゲリア指数を０（ゼロ）以上とすることにより、金属材料の腐食を抑制することができる。このように、ランゲリア指数は、炭酸カルシウムの析出についての指標として用いることができる。
【００５２】
リズナー指数算出部２３３は、水質検出装置９ａ〜９ｃにより検出された水質の検出値に基づいて、原水Ｗ１のリズナー指数（Ｒｙｚｎｅｒ  Ｉｎｄｅｘ；以下「ＲＩ」ともいう）を算出する。なお、リズナー指数は、安定度指数とも呼ばれる。リズナー指数は、水の腐食傾向およびスケール生成傾向を評価する指標として用いられる。リズナー指数（ＲＩ）は、下記（３）式により求められる。
ＲＩ＝２ｐＨｓ−ｐＨ・・・（３）
【００５３】
ここで、ｐＨは、上述のランゲリア指数の（１）式の説明と同様に、水の実際のｐＨ値である。また、ｐＨｓは、水中に炭酸カルシウムが溶解も析出もしない平衡状態にあるときの理論上のｐＨ値である。ｐＨｓは、上述のランゲリア指数を求めるのと同様に、上記（２）式により求められる。
【００５４】
リズナー指数が７以上の場合には、水系が腐食性の傾向にあることを示す。リズナー指数を７以上とすることにより、炭酸カルシウムの析出を抑制することができる。また、リズナー指数が６以下の場合には、水系がスケール性の傾向にあることを示す。リズナー指数を６以下とすることにより、金属材料の腐食を抑制することができる。
【００５５】
ＲＯ記憶部２４は、複数の逆浸透膜分離装置２ａ〜２ｃに組み込まれたＲＯ膜モジュール２２ａ〜２２ｃの膜エレメントに関する仕様情報に対応する回収率のデータテーブルを、複数の逆浸透膜分離装置２ａ〜２ｃごとに記憶する。例えば、データテーブルには、ＲＯ膜モジュール２２ａ〜２２ｃの膜エレメントのスペック（後述）に応じて、シリカ濃度の範囲ごとの回収率や、ランゲリア指数の範囲ごとの回収率や、リズナー指数の範囲ごとの回収率がテーブル化して記憶されている。また、これらの回収率は、データテーブルにおいて、原水Ｗ１の温度ごとにテーブル化されている。
【００５６】
また、ＲＯ記憶部２４は、複数の逆浸透膜分離装置２ａ〜２ｃに組み込まれたＲＯ膜モジュール２２ａ〜２２ｃの膜エレメントに関する仕様情報に対応するスケール分散剤の添加量やｐＨ調整剤の添加量のデータテーブルを、複数の逆浸透膜分離装置２ａ〜２ｃごとに記憶する。例えば、データテーブルには、ＲＯ膜モジュール２２ａ〜２２ｃの膜エレメントのスペック（後述）に応じて、シリカ濃度の範囲ごとのスケール分散剤の添加量やｐＨ調整剤の添加量や、ランゲリア指数の範囲ごとのスケール分散剤の添加量やｐＨ調整剤の添加量や、リズナー指数の範囲ごとのスケール分散剤の添加量やｐＨ調整剤の添加量がテーブル化して記憶されている。また、これらのスケール分散剤の添加量やｐＨ調整剤の添加量は、データテーブルにおいて、原水Ｗ１の温度ごとにテーブル化されている。
【００５７】
なお、本実施形態においては、ＲＯ記憶部２４は、複数の逆浸透膜分離装置２ａ〜２ｃに備えられているが、これに制限されず、複数の逆浸透膜分離装置２ａ〜２ｃそれぞれの不図示のマイコンのメモリや、遠隔制御装置５の不図示のデータベースなどにより構成されていてもよい。
【００５８】
遠隔制御装置５は、複数の逆浸透膜分離装置２ａ〜２ｃを遠隔制御する。遠隔制御装置５は、遠隔制御部５１と、分析データ格納部５２と、を有する。
【００５９】
分析データ格納部５２は、取得された複数の逆浸透膜分離装置２ａ〜２ｃに導入される原水Ｗ１のシリカ濃度、ランゲリア指数及びリズナー指数のいずれか１つ以上の分析データを格納する。例えば、取得された分析データとしては、逆浸透膜分離装置２に導入される原水Ｗ１をサンプル水として採水し、その採水したサンプル水を分析センター（不図示）で分析した分析データや、逆浸透膜分離装置２に導入される原水Ｗ１に含まれるシリカのシリカ濃度をシリカ濃度センサ８により現場測定した分析データや、逆浸透膜分離装置２に導入される原水Ｗ１の水質を水質検出装置９により現場測定してランゲリア指数又はリズナー指数を算出して分析した分析データなどがある。
【００６０】
分析センターは、サンプル水の手動分析を採水現場以外で行うものであり、送付されたサンプル水を所要の分析機器を使用して分析する施設である。サンプル水の採水と送付は、例えば、各ユーザＸ〜Ｚと逆浸透膜分離装置２のメンテナンス契約を締結している管理会社のサービスエンジニアが定期的に客先を訪問して行う。分析センターで得られた分析データは、分析センターに備え付けの専用端末を介して遠隔制御装置５に送信され、分析データ格納部５２に記録される。
一方、シリカ濃度センサ８及び水質検出装置９は、サンプル水の自動分析を採水現場で行うものであり、複数の逆浸透膜分離装置２ａ〜２ｃの据付現場、具体的には原水ラインＬ１ａ〜Ｌ１ｃに設けられる機器である。
【００６１】
シリカ濃度センサ８で測定された分析データは、複数の逆浸透膜分離装置２ａ〜２ｃに入力され、複数の逆浸透膜分離装置２ａ〜２ｃからネットワーク３を介して遠隔制御装置５に送信され、分析データ格納部５２に記録される。水質検出装置９で検出された水質の検出値は、複数の逆浸透膜分離装置２ａ〜２ｃに入力され、複数の逆浸透膜分離装置２ａ〜２ｃにおいてランゲリア指数又はリズナー指数が算出され、算出されたランゲリア指数又はリズナー指数が複数の逆浸透膜分離装置２ａ〜２ｃからネットワーク３を介して遠隔制御装置５に送信され、分析データ格納部５２に記録される。
【００６２】
遠隔制御部５１は、遠隔地から通信により複数の逆浸透膜分離装置２ａ〜２ｃを遠隔制御する。
遠隔制御部５１は、管理対象となる複数の逆浸透膜分離装置２ａ〜２ｃのＲＯ膜モジュール２２ａ〜２２ｃの膜に関する仕様情報と、分析データ格納部５２に格納された原水Ｗ１のシリカ濃度、ランゲリア指数及びリズナー指数のいずれか１つ以上に係る分析データの近時情報とに基づいて、複数の逆浸透膜分離装置２ａ〜２ｃそれぞれに対し、回収率（ＲＯ膜モジュール２２ａ〜２２ｃへ導入される原水Ｗ１の流量に対する処理水Ｗ２の流量の比率）、ＲＯ膜モジュール２２ａ〜２２ｃへ導入される原水Ｗ１に添加するスケール分散剤の添加量、及びＲＯ膜モジュール２２ａ〜２２ｃへ導入される原水Ｗ１に添加するｐＨ調整剤の添加量のいずれか１つを遠隔制御により設定変更する。
【００６３】
ＲＯ膜モジュール２２ａ〜２２ｃの膜に関する仕様情報とは、膜面での溶存塩類の過濃縮の起こりやすさを示すスペック（例えば、水透過係数の初期値等）や、膜面での有機物ファウリングの起こりやすさを示すスペック（例えば、スキン層の改質の有無等）などである。以下は、その例示を列挙する。
【００６４】
＜例示１＞
水透過係数の初期値が相対的に高い膜（高フラックス膜）は、低圧膜や超低圧膜とも呼ばれ、低い操作圧力でより多くの透過水量が得られる。そのため、高フラックス膜で透過水を製造中には、膜の一次側において、水の取られすぎによる濃度分極によって溶存塩類の過濃縮が進行しやすい。よって、ＲＯ膜モジュール２２ａ〜２２ｃに高フラックス膜が組み込まれている場合には、低フラックス膜が組み込まれている場合に比べて、回収率を相対的に低く設定したり、スケール分散剤やｐＨ調整剤の添加量を相対的に多く設定したりすることが好ましい。
【００６５】
高フラックス膜としては、膜のスペックが、例えば、濃度５００ｍｇ／Ｌ、ｐＨ７．０、温度２５℃の塩化ナトリウム水溶液を、操作圧力０．７ＭＰａ、回収率１５％で供給したときの水透過係数が、１．５×１０−１１ｍ３・ｍ−２・ｓ−１・Ｐａ−１以上、且つ塩除去率が９９％以上となるものである。
【００６６】
＜例示２＞
膜表面の電荷特性の調整等によりスキン層を改質し、有機物やコロイド粒子の付着が抑制されるようにした膜（低ファウリング膜）は、表面改質のない通常膜に比べると、炭酸カルシウムやシリカの結晶核の付着が起こりにくい傾向にある。そのため、低ファウリング膜で透過水を製造中には、膜の一次側において、スケールの成長が抑制されやすい。よって、ＲＯ膜モジュール２２ａ〜２２ｃに低ファウリング膜が組み込まれている場合には、通常膜が組み込まれている場合に比べて、回収率を相対的に高く設定したり、スケール分散剤やｐＨ調整剤の添加量を相対的に少なく設定したりすることが好ましい。
【００６７】
低ファウリング膜としては、膜のスペックが、例えば、ファウリング状態において、塩化ナトリウム濃度１５００ｍｇ／Ｌ、ｐＨ７．０、温度２５℃の塩化ナトリウム水溶液を、操作圧力１ＭＰａ、回収率１５％で供給したときの水透過係数が、８．２×１０−１２ｍ３・ｍ−２・ｓ−１・Ｐａ−１以上、且つ塩除去率が９９％以上となるものである。
【００６８】
ファウリング状態とは、塩化ナトリウム濃度１５００ｍｇ／Ｌの水溶液に非イオン性界面活性剤を添加したものを被処理水として用い、透過水量一定で運転を行った場合の膜差圧が、運転開始時点の膜差圧に対して６５％から７０％増加した状態をいう。
非イオン性界面活性剤としては、例えば、ポリオキシエチレンオクチルフェニルエーテルが用いられる。また、非イオン性界面活性剤の濃度は、被処理水のファウリング・インデックス（ＦＩ）値が０．３から０．５となる範囲で調整される。
【００６９】
ここで、操作圧力とは、ＪＩＳ  Ｋ３８０２−１９９５「膜用語」で定義される平均操作圧力である。操作圧力は、ＲＯ膜モジュール２２の一次側の入口圧力と一次側の出口圧力との平均値を指す。
【００７０】
回収率とは、前述の通り、ＲＯ膜モジュール２２へ供給される原水Ｗ１の流量Ｑ１に対する透過水Ｗ２の流量Ｑ２の割合（すなわち、Ｑ２／Ｑ１×１００）をいう。
【００７１】
水透過係数は、透過水量［ｍ３／ｓ］を膜面積［ｍ２］及び有効圧力［Ｐａ］で除した値であり、逆浸透膜の水の透過性能を示す指標である。すなわち、水透過係数は、単位有効圧力を作用させたときに単位時間に膜の単位面積を透過する水の量を意味する。有効圧力は、ＪＩＳ  Ｋ３８０２−１９９５「膜用語」で定義され、操作圧力（平均操作圧力）から浸透圧差及び二次側圧力を差し引いた圧力である。
【００７２】
塩除去率は、膜を透過する前後の特定の塩類の濃度（ここでは塩化ナトリウム濃度）から計算される値であり、逆浸透膜の溶質の阻止性能を示す指標である。塩除去率は、ＲＯ膜モジュール２２への入口濃度Ｃ１及び透過水の濃度Ｃ２から、（１−Ｃ２／Ｃ１）×１００により求められる。
【００７３】
遠隔制御部５１は、複数の逆浸透膜分離装置２ａ〜２ｃそれぞれに対し、ＲＯ膜モジュール２２ａ〜２２ｃの回収率の設定を変更する場合において、分析データ格納部５２に格納された原水Ｗ１のシリカ濃度、ランゲリア指数及びリズナー指数のいずれか１つの経時変動幅が所定の範囲外の場合に、複数の逆浸透膜分離装置２ａ〜２ｃそれぞれに対し、予め設定された回収率が、ＲＯ記憶部２４のデータテーブルから選択された新たな回収率に更新されるように遠隔制御により設定変更する。
【００７４】
ここで、経時変動幅が所定の範囲外とは、例えば、毎日午前０時に最新（又は直近Ｎ個）の原水Ｗ１のシリカ濃度、ランゲリア指数及びリズナー指数のいずれか１つ以上に係る水質データを抽出し、前回の回収率の設定変更時の水質データに対して±１０％超過の変動がある場合が該当する。この場合には、遠隔制御部５１は、回収率を見直す設定変更を実行する。具体的には、経時変動幅が所定の範囲外であるか否かは、例えば、以下のように、分析データ格納部５２に格納された原水Ｗ１のシリカ濃度、ランゲリア指数及びリズナー指数のいずれか１つ以上に係る分析データの近時情報を判断することにより求められる。
【００７５】
分析データ格納部５２に格納された原水Ｗ１のシリカ濃度、ランゲリア指数及びリズナー指数のいずれか１つ以上に係る分析データの近時情報とは、最新データだけに限定されず、ある程度日付の古いデータ（例えば、直近Ｎ個分のデータ）も含む概念である。分析データの近時情報は、例えばサンプル水の分析センター（不図示）への送付に日数を要する場合もあることから、後述する分析データ格納部５２に格納された順序ではなく、サンプル水の採水日の順序に基づいて判断される。なお、サンプル水の分析データと、原水Ｗ１のシリカ濃度、ランゲリア指数及びリズナー指数のいずれか１つ以上の検出値の分析データとが混在して分析データ格納部５２に格納されている場合においても、原水Ｗ１の検出日及びサンプル水の採水日の順序に基づいて判断される。
【００７６】
例えば、分析データ格納部５２に格納された原水Ｗ１のシリカ濃度について、サンプル水の採水日と格納日との順序が異なる場合において、直近の２個分の分析データを近時情報として利用する場合について説明する。ここで、前回の回収率の設定時には、原水のシリカ濃度が、３０ｇＳｉＯ２／ｍ３であったとする。
【００７７】
下記の２月８日時点において格納されている分析データのように、例えば２月８日の時点では、分析データ格納部５２に格納された分析データの格納日の順序は、日付が新しい順に、分析データＮ１、分析データＮ３である。採水日の順序は、日付が新しい順に、分析データＮ３、分析データＮ１である。
【００７８】
◎２月８日時点において格納されている分析データ
Ｎ１：採水日（１月５日）、シリカ濃度３０ｇＳｉＯ２／ｍ３、格納日（１月１０日）
Ｎ３：採水日（２月２日）、シリカ濃度３２ｇＳｉＯ２／ｍ３、格納日（２月７日）
【００７９】
２月１０日には、下記の２月１０日時点において格納されている分析データのように、分析データ格納部５２には、新たに２月１０日に分析データＮ２が格納された。これにより、分析データ格納部５２に格納された分析データの格納日の順序は、日付が新しい順に、分析データＮ２、分析データＮ３、分析データＮ１である。採水日の順序は、格納日の順序とは異なっており、日付が新しい順に、分析データＮ３、分析データＮ２、分析データＮ１である。
【００８０】
◎２月１０日時点において格納されている分析データ
Ｎ１：採水日（１月５日）、シリカ濃度３０ｇＳｉＯ２／ｍ３、格納日（１月１０日）
Ｎ２：採水日（１月２０日）、シリカ濃度３４ｇＳｉＯ２／ｍ３、格納日（２月１０日）
Ｎ３：採水日（２月２日）、シリカ濃度３２ｇＳｉＯ２／ｍ３、格納日（２月７日）
【００８１】
ここで、例えば２月８日の時点では、直近の２個の分析データＮ１（経時変動幅０％：〔（３０−３０）／３０〕×１００＝０％）、分析データＮ３（経時変動幅７％：〔（３２−３０）／３０〕×１００＝７％）が近時情報となる。２月８日の時点では、分析データＮ１（経時変動幅０％）及びＮ３（経時変動幅７％）の経時変動幅は、前回の回収率の設定時のシリカ濃度３０ｇＳｉＯ２／ｍ３に対して、±１０％の範囲内である。
一方、例えば２月１０日の時点では、直近の２個の分析データＮ２（経時変動幅１３％：〔（３４−３０）／３０〕×１００＝１３％）、分析データＮ３（経時変動幅７％：〔（３２−３０）／３０〕×１００＝７％）が近時情報となる。２月１０日の時点では、分析データＮ２（経時変動幅１３％）の経時変動幅は、前回の回収率の設定時のシリカ濃度３０ｇＳｉＯ２／ｍ３に対して、±１０％の範囲外である。
このように、近時情報を判断するタイミングによって、サンプル水の採水日と格納日との順序が異なる場合があるが、サンプル水の採水日の順序に基づいて、サンプル水の分析データの近時情報とする。
【００８２】
また、分析データの近時情報は、例えば、分析データ格納部５２に格納されたランゲリア指数及びリズナー指数のいずれか１つ以上について、サンプル水の採水日と格納日との順序が異なる場合においても、前述の原水Ｗ１のシリカ濃度と同様に、最新データだけに限定されず、ある程度日付の古いデータ（例えば、直近Ｎ個分のデータ）も含む。
分析データ格納部５２に格納された原水Ｗ１のランゲリア指数及びリズナー指数における分析データの近時情報の説明は、前述の原水Ｗ１のシリカ濃度の説明とランゲリア指数及びリズナー指数の具体的な数値が異なるのみでその他の内容は同様であるため、前述の原水Ｗ１のシリカ濃度の説明を援用して、その説明を省略する。
【００８３】
また、遠隔制御部５１は、複数の逆浸透膜分離装置２ａ〜２ｃそれぞれに対し、ＲＯ膜モジュール２２ａ〜２２ｃへ導入される原水Ｗ１に添加するスケール分散剤の添加量の設定を変更する場合において、原水Ｗ１のシリカ濃度が上昇した場合、又は、ランゲリア指数及びリズナー指数のいずれか１つがスケールを生成するスケール生成傾向の範囲内（スケール生成傾向範囲内）にある場合に、複数の逆浸透膜分離装置２ａ〜２ｃそれぞれに対し、スケール分散剤添加装置６ａ〜６ｃによりスケール分散剤を添加するように遠隔制御により設定変更する。
【００８４】
ここで、「原水Ｗ１のシリカ濃度が上昇した場合」とは、前述した分析データの近時情報の説明のように、例えば、原水Ｗ１のシリカ濃度の直近２個分の分析データ（分析データの近時情報）の平均値が、前回のスケール分散剤を添加した時の原水Ｗ１のシリカ濃度よりも所定割合上昇した場合が該当する。
【００８５】
また、「ランゲリア指数及びリズナー指数のいずれか１つがスケール生成傾向範囲内にある場合」とは、前述した分析データの近時情報の説明のように、例えば、ランゲリア指数及びリズナー指数のいずれか１つの直近２個分の分析データ（分析データの近時情報）の平均値が、スケール生成傾向範囲内にある場合が該当する。
【００８６】
分析データの近時情報は、前述の説明と同様に、近時情報を判断するタイミングによって、サンプル水の採水日と格納日との順序が異なる場合があるが、サンプル水の採水日の順序に基づいて、サンプル水の分析データの近時情報とする。
【００８７】
ランゲリア指数におけるスケール生成傾向範囲内とは、ランゲリア指数が０（ゼロ）以上の場合には、水系がスケール性の傾向にあることから、ランゲリア指数が０（ゼロ）以上の範囲をいう。また、リズナー指数におけるスケール生成傾向範囲内とは、リズナー指数が６以下の場合には、水系がスケール性の傾向にあることから、リズナー指数が６以下の範囲をいう。
【００８８】
また、スケール分散剤添加装置６ａ〜６ｃによりスケール分散剤を添加することには、スケール分散剤の添加を開始すること、スケール分散剤の添加量を増加すること、が含まれる。
【００８９】
遠隔制御部５１は、複数の逆浸透膜分離装置２ａ〜２ｃそれぞれに対し、ＲＯ膜モジュール２２ａ〜２２ｃへ導入される原水Ｗ１に添加するｐＨ調整剤の添加量の設定を変更する場合において、複数の逆浸透膜分離装置２ａ〜２ｃそれぞれに対し、原水Ｗ１のシリカ濃度が上昇した場合にｐＨ調整剤添加装置７ａ〜７ｃによりアルカリ性薬剤を添加するように遠隔制御により設定変更し、又は、ランゲリア指数及びリズナー指数のいずれか１つがスケール生成傾向範囲内にある場合にｐＨ調整剤添加装置７ａ〜７ｃにより酸性薬剤を添加するように遠隔制御により設定変更する。
【００９０】
ここで、ｐＨ調整剤の添加量の設定を変更する場合において、「原水Ｗ１のシリカ濃度が上昇した場合」及び「ランゲリア指数及びリズナー指数のいずれか１つがスケール生成傾向範囲内にある場合」については、前述のスケール分散剤を添加の場合と同様であるため、その説明を省略する。
【００９１】
また、ｐＨ調整剤添加装置７ａ〜７ｃによりアルカリ性薬剤又は酸性薬剤を添加することには、アルカリ性薬剤又は酸性薬剤の添加を開始すること、アルカリ性薬剤又は酸性薬剤の添加量を増加すること、が含まれる。
【００９２】
以上のように構成される逆浸透膜分離装置の遠隔管理制御システム１は、ユーザＸ〜Ｚごとに、次の第１遠隔制御例〜第３遠隔制御例の処理を、選択的に、実行可能である。第１遠隔制御例〜第３遠隔制御例の処理について、フローチャートを参照しながら説明する。
【００９３】
第１遠隔制御例は、逆浸透膜分離装置２ａ〜２ｃについて、回収率を遠隔制御により設定変更する例である。図４〜図６において、第１遠隔制御例の第１動作例〜第３動作例について説明する。
第２遠隔制御例は、逆浸透膜分離装置２ａ〜２ｃについて、スケール分散剤の添加量を遠隔制御により設定変更する例である。図７〜図９において、第２遠隔制御例の第４動作例〜第６動作例について説明する。
第３遠隔制御例は、逆浸透膜分離装置２ａ〜２ｃについて、ｐＨ調整剤の添加量を遠隔制御により設定変更する例である。図１０〜図１２において、第３遠隔制御例の第７動作例〜第９動作例について説明する。
なお、各フローチャートにおけるステップＳ番号の３桁の数字については、ステップＳ番号の百の位の数字を、動作例の番号の数字と対応した数字としている。例えば、ステップＳ番号において、第１動作例〜第９動作例では、百の位を「１」〜「９」としている。
【００９４】
まず、回収率を遠隔制御により設定変更する第１遠隔制御例における第１動作例〜第３動作例について説明する。
逆浸透膜分離装置の遠隔管理制御システム１の第１遠隔制御例の第１動作例について説明する。図４は、本実施形態の逆浸透膜分離装置の遠隔管理制御システム１の第１動作例の処理手順を示すフローチャートである。図４に示すフローチャートの処理は、逆浸透膜分離装置の遠隔管理制御システム１の運転中において、繰り返し実行される。図４に示すフローチャートによる制御においては、複数の逆浸透膜分離装置２ａ〜２ｃは、原水Ｗ１を透過水（処理水）Ｗ２及び濃縮水Ｗ３に分離する動作を実行している。
【００９５】
図４に示す逆浸透膜分離装置２ａにおけるステップＳ１２１において、逆浸透膜分離装置２ａに導入される原水Ｗ１のシリカ濃度をシリカ濃度センサ８ａにより検出し、水質検出装置９ａにより検出された原水Ｗ１の水質の検出値からランゲリア指数を算出し、及び／又は、水質検出装置９ａにより検出された原水Ｗ１の水質の検出値からリズナー指数を算出する。検出されたシリカ濃度、算出されたランゲリア指数及び／又はリズナー指数のデータは、分析データとして、遠隔制御装置５へ送信される。
【００９６】
遠隔制御装置５におけるステップＳ１１１において、逆浸透膜分離装置２ａのステップＳ１２１で検出された原水Ｗ１のシリカ濃度、算出されたランゲリア指数及び／又はリズナー指数の分析データは、分析データ格納部５２に格納される。
【００９７】
逆浸透膜分離装置２ｂにおけるステップＳ１３１において、逆浸透膜分離装置２ｂに導入される原水Ｗ１のシリカ濃度をシリカ濃度センサ８ｂにより検出し、水質検出装置９ｂにより検出された原水Ｗ１の水質の検出値からランゲリア指数を算出し、及び／又は、水質検出装置９ｂにより検出された原水Ｗ１の水質の検出値からリズナー指数を算出する。検出されたシリカ濃度、算出されたランゲリア指数及び／又はリズナー指数のデータは、分析データとして、遠隔制御装置５へ送信される。
【００９８】
遠隔制御装置５におけるステップＳ１１２において、逆浸透膜分離装置２ｂのステップＳ１３１で検出された原水Ｗ１のシリカ濃度、算出されたランゲリア指数及び／又はリズナー指数の分析データは、分析データ格納部５２に格納される。
【００９９】
逆浸透膜分離装置２ｃにおけるステップＳ１４１において、逆浸透膜分離装置２ｃに導入される原水Ｗ１のシリカ濃度をシリカ濃度センサ８ｃにより検出し、水質検出装置９ｃにより検出された原水Ｗ１の水質の検出値からランゲリア指数を算出し、及び／又は、水質検出装置９ｃにより検出された原水Ｗ１の水質の検出値からリズナー指数を算出する。検出されたシリカ濃度、算出されたランゲリア指数及び／又はリズナー指数のデータは、分析データとして、遠隔制御装置５へ送信される。
【０１００】
遠隔制御装置５におけるステップＳ１１３において、逆浸透膜分離装置２ｃのステップＳ１４１で検出された原水Ｗ１のシリカ濃度、算出されたランゲリア指数及び／又はリズナー指数の分析データは、分析データ格納部５２に格納される。
【０１０１】
遠隔制御装置５におけるステップＳ１１４において、遠隔制御装置５は、分析データ格納部５２に格納されたシリカ濃度、ランゲリア指数及び／又はリズナー指数の経時変動幅が所定の範囲外であるか否かを判定する。ここで、遠隔制御装置５は、分析データ格納部５２に格納されたシリカ濃度、ランゲリア指数及び／又はリズナー指数の分析データにおいて、分析データ格納部５２に格納された順序ではなく、逆浸透膜分離装置２ａ〜２ｃにおける原水Ｗ１の検出日の時系列の分析データによる近時情報に基づいて、シリカ濃度、ランゲリア指数及び／又はリズナー指数の経時変動幅を算出する。例えば、近時情報として、直近の２個の分析データが使用される。具体的には、直近の２個の分析データとして、逆浸透膜分離装置２ｃにおいてステップＳ１４１で検出されたサンプル水の分析データと、逆浸透膜分離装置２ｂにおいてステップＳ１３１で検出されたサンプル水の分析データと、について、シリカ濃度、ランゲリア指数及び／又はリズナー指数の経時変動幅を算出する。遠隔制御装置５により経時変動幅が所定の範囲外であると判定された場合（ＹＥＳ）には、処理は、ステップＳ１１５に移行する。一方、遠隔制御装置５により経時変動幅が所定の範囲外でないと判定された場合（ＮＯ）には、処理は終了する。
【０１０２】
遠隔制御装置５におけるステップＳ１１５において、遠隔制御装置５は、複数の逆浸透膜分離装置２ａ〜２ｃそれぞれで新たな回収率をＲＯ記憶部２４のデータテーブルから選択する。具体的には、ＲＯ記憶部２４には、複数の逆浸透膜分離装置２ａ〜２ｃに組み込まれたＲＯ膜モジュール２２ａ〜２２ｃの膜エレメントに関する仕様情報に対応する回収率のデータテーブルが、複数の逆浸透膜分離装置２ａ〜２ｃごとに記憶されている。データテーブルには、ＲＯ膜モジュール２２ａ〜２２ｃの膜エレメントのスペックに応じて、シリカ濃度の範囲ごとの回収率や、ランゲリア指数の範囲ごとの回収率や、リズナー指数の範囲ごとの回収率がテーブル化して記憶されている。また、これらの回収率は、データテーブルにおいて、原水Ｗ１の温度ごとにテーブル化されている。これにより、遠隔制御装置５は、管理対象となる複数の逆浸透膜分離装置２ａ〜２ｃの膜に関する仕様情報と、分析データ格納部５２に格納された原水Ｗ１のシリカ濃度、ランゲリア指数及びリズナー指数のいずれか１つ以上に係る分析データの近時情報とに基づいて、複数の逆浸透膜分離装置２ａ〜２ｃそれぞれに対し、回収率を選択することができる。
【０１０３】
遠隔制御装置５におけるステップＳ１１６において、遠隔制御装置５は、複数の逆浸透膜分離装置２ａ〜２ｃそれぞれに対して、予め設定された回収率がデータテーブルから選択された新たな回収率に更新されるように遠隔制御により設定変更を行う。ステップＳ１１６の処理の後に、遠隔制御装置５の処理は終了する（ステップＳ１１１へリターンする）。
【０１０４】
逆浸透膜分離装置２ａ，２ｂ，２ｃにおけるステップＳ１２２，Ｓ１３２，Ｓ１４２において、逆浸透膜分離装置２ａ，２ｂ，２ｃの回収率は、予め設定された回収率が新たな回収率に更新されるように、遠隔制御装置５の遠隔制御により設定変更される。ステップＳ１２２，Ｓ１３２，Ｓ１４２の処理の後に、逆浸透膜分離装置２ａ，２ｂ，２ｃの処理は終了する（ステップＳ１２１，Ｓ１３１，Ｓ１４１へリターンする）。
【０１０５】
次に、逆浸透膜分離装置の遠隔管理制御システム１の第１遠隔制御例の第２動作例について説明する。図５は、本実施形態の逆浸透膜分離装置の遠隔管理制御システム１の第２動作例の処理手順を示すフローチャートである。図５に示す第２動作例は、分析データの取得方法について、図４に示す第１動作例において原水Ｗ１に含まれるシリカ濃度をシリカ濃度センサ８ａ〜８ｃにより検出し、ランゲリア指数及び/又はリズナー指数を水質検出装置９により原水Ｗ１の水質を検出してから算出して得るのに対して、採水された原水Ｗ１のサンプル水から分析センター（不図示）においてシリカ濃度、ランゲリア指数及び／又はリズナー指数の分析データとして分析されて得る点において主に異なる。第２動作例は、その他の点において、第１動作例と同様である。
【０１０６】
図５に示す逆浸透膜分離装置２ａにおけるステップＳ２２１において、逆浸透膜分離装置２ａに導入される原水Ｗ１のサンプル水を採水する。採水された原水Ｗ１のサンプル水は、分析センター（不図示）に送付され、原水Ｗ１の採水時点におけるシリカ濃度、ランゲリア指数及び／又はリズナー指数の分析データとして分析される。
【０１０７】
遠隔制御装置５におけるステップＳ２１１において、逆浸透膜分離装置２ａのステップＳ２２１で採水された原水Ｗ１のシリカ濃度、ランゲリア指数及び／又はリズナー指数の分析データは、分析データ格納部５２に格納される。
【０１０８】
逆浸透膜分離装置２ｂにおけるステップＳ２３１において、逆浸透膜分離装置２ｂに導入される原水Ｗ１のサンプル水を採水する。採水された原水Ｗ１のサンプル水は、分析センター（不図示）に送付され、原水Ｗ１の採水時点におけるシリカ濃度、ランゲリア指数及び／又はリズナー指数の分析データとして分析される。
【０１０９】
遠隔制御装置５におけるステップＳ２１２において、逆浸透膜分離装置２ｂのステップＳ２３１で採水された原水Ｗ１のシリカ濃度、ランゲリア指数及び／又はリズナー指数の分析データは、分析データ格納部５２に格納される。
【０１１０】
逆浸透膜分離装置２ｃにおけるステップＳ２４１において、逆浸透膜分離装置２ｃに導入される原水Ｗ１のサンプル水を採水する。採水された原水Ｗ１のサンプル水は、分析センター（不図示）に送付され、原水Ｗ１の採水時点におけるシリカ濃度、ランゲリア指数及び／又はリズナー指数の分析データとして分析される。
【０１１１】
遠隔制御装置５におけるステップＳ２１３において、逆浸透膜分離装置２ｃのステップＳ２４１で採水された原水Ｗ１のシリカ濃度、ランゲリア指数及び／又はリズナー指数の分析データは、分析データ格納部５２に格納される。
【０１１２】
遠隔制御装置５におけるステップＳ２１４において、遠隔制御装置５は、分析データ格納部５２に格納されたシリカ濃度、ランゲリア指数及び／又はリズナー指数の経時変動幅が所定の範囲外であるか否かを判定する。ここで、遠隔制御装置５は、分析データ格納部５２に格納されたシリカ濃度、ランゲリア指数及び／又はリズナー指数の分析データにおいて、分析データ格納部５２に格納された順序ではなく、複数の逆浸透膜分離装置２ａ〜２ｃにおける原水Ｗ１の採水日の時系列の分析データによる近時情報に基づいて、シリカ濃度、ランゲリア指数及び／又はリズナー指数の経時変動幅を算出する。例えば、近時情報として、直近の２個の分析データが使用される。具体的には、直近の２個の分析データとして、逆浸透膜分離装置２ｃにおいてステップＳ２４１で採水されたサンプル水の分析データと、逆浸透膜分離装置２ｂにおいてステップＳ２３１で採水されたサンプル水の分析データと、について、シリカ濃度、ランゲリア指数及び／又はリズナー指数の経時変動幅を算出する。遠隔制御装置５により経時変動幅が所定の範囲外であると判定された場合（ＹＥＳ）には、処理は、ステップＳ２１５に移行する。一方、遠隔制御装置５により経時変動幅が所定の範囲外でないと判定された場合（ＮＯ）には、処理は終了する。
【０１１３】
遠隔制御装置５におけるステップＳ２１５及びＳ２１６、逆浸透膜分離装置２ａにおけるステップＳ２２２、逆浸透膜分離装置２ｂにおけるステップＳ２３２、逆浸透膜分離装置２ｃにおけるステップＳ２４２の動作は、第１動作例の遠隔制御装置５におけるステップＳ１１５及びＳ１１６、逆浸透膜分離装置２ａにおけるステップＳ１２２、逆浸透膜分離装置２ｂにおけるステップＳ１３２、逆浸透膜分離装置２ｃにおけるステップＳ１４２の動作と同様であるため、その説明を省略する。
【０１１４】
次に、逆浸透膜分離装置の遠隔管理制御システム１の第１遠隔制御例の第３動作例について説明する。図６は、本実施形態の逆浸透膜分離装置の遠隔管理制御システム１の第３動作例の処理手順を示すフローチャートである。図６に示すフローチャートの処理は、逆浸透膜分離装置の遠隔管理制御システム１の運転中において、繰り返し実行される。図６に示すフローチャートによる制御においては、複数の逆浸透膜分離装置２ａ〜２ｃは、原水Ｗ１を透過水（処理水）Ｗ２及び濃縮水Ｗ３に分離する動作を実行している。
図６における第３動作例は、図４及び図５における第１動作例及び第２動作例と比べて、分析データの取得方法や取得時期や取得回数が異なる。
【０１１５】
図６に示す逆浸透膜分離装置２ａにおけるステップＳ３２１において、逆浸透膜分離装置２ａに導入される原水Ｗ１のサンプル水を採水する。採水された原水Ｗ１のサンプル水は、分析センター（不図示）に送付され、原水Ｗ１の採水時点におけるシリカ濃度、ランゲリア指数及び／又はリズナー指数の分析データとして分析される。
【０１１６】
遠隔制御装置５におけるステップＳ３１２において、逆浸透膜分離装置２ａのステップＳ３２１で採水された原水Ｗ１のシリカ濃度、ランゲリア指数及び／又はリズナー指数の分析データは、例えばサンプル水の採水日から数日遅れて、分析データ格納部５２に格納される。
【０１１７】
逆浸透膜分離装置２ａにおけるステップＳ３２２において、逆浸透膜分離装置２ａに導入される原水Ｗ１のシリカ濃度をシリカ濃度センサ８ａにより検出し、水質検出装置９ａにより検出された原水Ｗ１の水質の検出値からランゲリア指数を算出し、及び／又は、水質検出装置９ａにより検出された原水Ｗ１の水質の検出値からリズナー指数を算出する。検出されたシリカ濃度、算出されたランゲリア指数及び／又はリズナー指数のデータは、分析データとして、遠隔制御装置５へ送信される。
【０１１８】
遠隔制御装置５におけるステップＳ３１１において、例えばステップＳ３１２よりも早い時期に、逆浸透膜分離装置２ａのステップＳ３２２で検出された原水Ｗ１のシリカ濃度、算出されたランゲリア指数及び／又はリズナー指数の分析データは、分析データ格納部５２に格納される。
【０１１９】
逆浸透膜分離装置２ｂにおけるステップＳ３３１において、逆浸透膜分離装置２ｂに導入される原水Ｗ１のサンプル水を採水する。採水された原水Ｗ１のサンプル水は、分析センター（不図示）に送付され、原水Ｗ１の採水時点におけるシリカ濃度、ランゲリア指数及び／又はリズナー指数の分析データとして分析される。
【０１２０】
遠隔制御装置５におけるステップＳ３１４において、逆浸透膜分離装置２ｂのステップＳ３３１で採水された原水Ｗ１のシリカ濃度、ランゲリア指数及び／又はリズナー指数の分析データは、例えばサンプル水の採水日から数日遅れて、分析データ格納部５２に格納される。
【０１２１】
逆浸透膜分離装置２ｂにおけるステップＳ３３２において、逆浸透膜分離装置２ｂに導入される原水Ｗ１のシリカ濃度をシリカ濃度センサ８ｂにより検出し、水質検出装置９ｂにより検出された原水Ｗ１の水質の検出値からランゲリア指数を算出し、及び／又は、水質検出装置９ｂにより検出された原水Ｗ１の水質の検出値からリズナー指数を算出する。検出されたシリカ濃度、算出されたランゲリア指数及び／又はリズナー指数は、分析データとして、遠隔制御装置５へ送信される。
【０１２２】
遠隔制御装置５におけるステップＳ３１３において、例えばステップＳ３１４よりも早い時期に、逆浸透膜分離装置２ｂのステップＳ３３２で検出された原水Ｗ１のシリカ濃度、算出されたランゲリア指数及び／又はリズナー指数の分析データは、分析データ格納部５２に格納される。
【０１２３】
遠隔制御装置５におけるステップＳ３１５において、図４に示す動作例１におけるステップＳ１１４と同様に、遠隔制御装置５は、分析データ格納部５２に格納されたシリカ濃度、ランゲリア指数及び／又はリズナー指数の経時変動幅が所定の範囲外であるか否かを判定する。ここで、遠隔制御装置５は、分析データ格納部５２に格納されたシリカ濃度、ランゲリア指数及び／又はリズナー指数の分析データにおいて、分析データ格納部５２に格納された順序ではなく、複数の逆浸透膜分離装置２ａ〜２ｃにおける原水Ｗ１の採水日又は検出日の時系列の分析データによる近時情報に基づいて、シリカ濃度、ランゲリア指数及び／又はリズナー指数の経時変動幅を算出する。例えば、近時情報として、直近の２個の分析データが使用される。具体的には、直近の２個の分析データとして、逆浸透膜分離装置２ｂにおいてステップＳ３３２で検出されたシリカ濃度の検出値又はランゲリア指数及び／又はリズナー指数の算出値の分析データと、逆浸透膜分離装置２ｂにおいてステップＳ３３１で取得されたサンプル水の分析データと、について、シリカ濃度、ランゲリア指数及び／又はリズナー指数の経時変動幅を算出する。遠隔制御装置５により経時変動幅が所定の範囲外であると判定された場合（ＹＥＳ）には、処理は、ステップＳ３１６に移行する。一方、遠隔制御装置５により経時変動幅が所定の範囲外でないと判定された場合（ＮＯ）には、処理は終了する。
【０１２４】
遠隔制御装置５におけるステップＳ３１６において、図４に示す動作例１におけるステップＳ１１５と同様に、遠隔制御装置５は、複数の逆浸透膜分離装置２ａ〜２ｃそれぞれで新たな回収率をＲＯ記憶部２４のデータテーブルから選択する。具体的には、ＲＯ記憶部２４には、複数の逆浸透膜分離装置２ａ〜２ｃに組み込まれたＲＯ膜モジュール２２ａ〜２２ｃの膜エレメントに関する仕様情報に対応する回収率のデータテーブルが、複数の逆浸透膜分離装置２ａ〜２ｃごとに記憶されている。これにより、遠隔制御装置５は、管理対象となる複数の逆浸透膜分離装置２ａ〜２ｃの膜に関する仕様情報と、分析データ格納部５２に格納された原水Ｗ１のシリカ濃度、ランゲリア指数及びリズナー指数のいずれか１つ以上に係る分析データの近時情報とに基づいて、複数の逆浸透膜分離装置２ａ〜２ｃそれぞれに対し、回収率を選択することができる。
【０１２５】
遠隔制御装置５におけるステップＳ３１７において、図４に示す動作例１におけるステップＳ１１６と同様に、遠隔制御装置５は、複数の逆浸透膜分離装置２ａ〜２ｃそれぞれに対して、予め設定された回収率がデータテーブルから選択された新たな回収率に更新されるように遠隔制御により設定変更を行う。ステップＳ３１７の処理の後に、遠隔制御装置５の処理は終了する（ステップＳ３１１へリターンする）。
【０１２６】
逆浸透膜分離装置２ａ，２ｂ，２ｃにおけるステップＳ３２３，Ｓ３３３，Ｓ３４１において、逆浸透膜分離装置２ａ，２ｂ，２ｃの回収率は、予め設定された回収率が新たな回収率に更新されるように、遠隔制御装置５の遠隔制御により設定変更される。ステップＳ３２３，Ｓ３３３，Ｓ３４１の処理の後に、逆浸透膜分離装置２ａ，２ｂ，２ｃの処理は終了する（ステップＳ３２１，Ｓ３３１，Ｓ３４１へリターンする）。
【０１２７】
ここで、逆浸透膜分離装置２ｃにおいては、ステップＳ３４１よりも前の時点で、原水Ｗ１のシリカ濃度、ランゲリア指数及び／又はリズナー指数の分析データが個別には取得されていない。しかし、逆浸透膜分離装置２ｃは、予め設定された回収率が新たな回収率に更新されるように、遠隔制御装置５の遠隔制御により設定変更される。ここでは、複数の逆浸透膜分離装置２ａ〜２ｃのいずれにおいても、同一水源から原水Ｗ１が導入されている。そのため、個別の分析データが取得されていない逆浸透膜分離装置２ｃにおいても、遠隔制御により新たな回収率に更新されるように設定を変更する。これにより、複数の逆浸透膜分離装置２ａ〜２ｃを、一群の逆浸透膜分離装置として、総合的に管理することができる。
【０１２８】
次に、スケール分散剤の添加量を遠隔制御により設定変更する第２遠隔制御例の第４動作例〜第６動作例、及び、ｐＨ調整剤の添加量を遠隔制御により設定変更する第３遠隔制御例の第７動作例〜第９動作例について説明する。
第２遠隔制御例の第４動作例〜第６動作例（図７〜図９）及び第３遠隔制御例の第７動作例〜第９動作例（図１０〜図１２）は、前述の第１遠隔制御例における第１動作例〜第３動作例（図４〜６）が回数率を遠隔制御により設定変更するのに対して、スケール分散剤の添加量又はｐＨ調整剤の添加量を遠隔制御により設定変更する点について主に異なる。分析データ格納部５２に格納するタイミングや、サンプル水を取得するタイミングについては、第２遠隔制御例の第４動作例〜第６動作例（図７〜図９）及び第３遠隔制御例の第７動作例〜第９動作例（図１０〜図１２）は、それぞれ、第１遠隔制御例の第１動作例〜第３動作例（図４〜図６）に対応しており、第１遠隔制御例の第１動作例〜第３動作例（図４〜図６）のタイミングと同様である。
【０１２９】
そのため、第２遠隔制御例の第４動作例〜第６動作例、及び、第３遠隔制御例の第７動作例〜第９動作例については、第１遠隔制御例の第１動作例〜第３動作例におけるステップＳ１１４、Ｓ２１４及びＳ３１５における「経時変動幅＞所定範囲」を、第４動作例〜第６動作例のステップＳ４１４、Ｓ５１４、Ｓ６１５、ステップＳ７１４、Ｓ８１４、Ｓ９１５において「シリカ濃度が上昇、又は、スケール生成傾向範囲内」と置き換え、第１動作例〜第３動作例のステップＳ１１５、Ｓ２１５、Ｓ３１６における「新たな回収率を選択」を、第４動作例〜第６動作例のステップＳ４１５、Ｓ５１５、Ｓ６１６において「スケール分散剤の添加量を選択」又は第７動作例〜第９動作例のステップＳ７１５、Ｓ８１５、Ｓ９１６において「ｐＨ調整剤の添加量を選択」と置き換えた上で、主に異なる点について説明する。
【０１３０】
逆浸透膜分離装置の遠隔管理制御システム１の第２遠隔制御例の第４動作例について説明する。図７は、本実施形態の逆浸透膜分離装置の遠隔管理制御システム１の第４動作例の処理手順を示すフローチャートである。図７に示すフローチャートの処理は、逆浸透膜分離装置の遠隔管理制御システム１の運転中において、繰り返し実行される。図７に示すフローチャートによる制御においては、複数の逆浸透膜分離装置２ａ〜２ｃは、原水Ｗ１を透過水（処理水）Ｗ２及び濃縮水Ｗ３に分離する動作を実行している。
【０１３１】
図７に示す逆浸透膜分離装置２ａにおけるステップＳ４２１、逆浸透膜分離装置２ｂにおけるステップＳ４３１、逆浸透膜分離装置２ｃにおけるステップＳ４４１、遠隔制御装置５におけるステップＳ４１１〜Ｓ４１３の処理は、図４に示す逆浸透膜分離装置２ａにおけるステップＳ１２１、逆浸透膜分離装置２ｂにおけるステップＳ１３１、逆浸透膜分離装置２ｃにおけるステップＳ１４１、遠隔制御装置５におけるステップＳ１１１〜Ｓ１１３にそれぞれ対応し、それぞれの処理と同様である。そのため、逆浸透膜分離装置２ａにおけるステップＳ４２１、逆浸透膜分離装置２ｂにおけるステップＳ４３１、逆浸透膜分離装置２ｃにおけるステップＳ４４１、遠隔制御装置５におけるステップＳ４１１〜Ｓ４１３の説明を省略する。
【０１３２】
遠隔制御装置５におけるステップＳ４１４において、遠隔制御装置５は、分析データ格納部５２に格納されたシリカ濃度が上昇しているか否か、ランゲリア指数及び／又はリズナー指数がスケール生成傾向範囲内であるか否かを判定する。ここで、遠隔制御装置５は、分析データ格納部５２に格納されたシリカ濃度、ランゲリア指数及び／又はリズナー指数の分析データにおいて、分析データ格納部５２に格納された順序ではなく、逆浸透膜分離装置２ａ〜２ｃにおける原水Ｗ１の検出日の時系列の分析データによる近時情報に基づいて、シリカ濃度、ランゲリア指数及び／又はリズナー指数を利用する。例えば、近時情報として、直近の２個の分析データが使用される。
【０１３３】
具体的には、直近の２個の分析データとして、逆浸透膜分離装置２ｃにおいてステップＳ１４１で検出されたサンプル水の分析データと、逆浸透膜分離装置２ｂにおいてステップＳ１３１で検出されたサンプル水の分析データと、について、シリカ濃度、ランゲリア指数及び／又はリズナー指数の平均値を算出する。遠隔制御装置５により原水Ｗ１のシリカ濃度の平均値が前回設定時のシリカ濃度値よりも上昇していると判定された場合（ＹＥＳ）、又は、遠隔制御装置５により原水Ｗ１のランゲリア指数及び／又はリズナー指数の平均値がスケール生成傾向範囲内であると判定された場合（ＹＥＳ）には、処理は、ステップＳ１１５に移行する。一方、遠隔制御装置５により原水Ｗ１のシリカ濃度の平均値が前回設定時のシリカ濃度値よりも上昇していないと判定された場合（ＮＯ）、又は、遠隔制御装置５により原水Ｗ１のランゲリア指数及び／又はリズナー指数の平均値がスケール生成傾向範囲内でないと判定された場合（ＮＯ）には、処理は終了する。
【０１３４】
遠隔制御装置５におけるステップＳ４１５において、遠隔制御装置５は、複数の逆浸透膜分離装置２ａ〜２ｃそれぞれでスケール分散剤の添加量をＲＯ記憶部２４のデータテーブルから選択する。具体的には、ＲＯ記憶部２４には、複数の逆浸透膜分離装置２ａ〜２ｃに組み込まれたＲＯ膜モジュール２２ａ〜２２ｃの膜エレメントに関する仕様情報に対応するスケール分散剤の添加量のデータテーブルが、複数の逆浸透膜分離装置２ａ〜２ｃごとに記憶されている。例えば、データテーブルには、ＲＯ膜モジュール２２ａ〜２２ｃの膜エレメントのスペックに応じて、シリカ濃度の範囲ごとのスケール分散剤の添加量やｐＨ調整剤の添加量や、ランゲリア指数の範囲ごとのスケール分散剤の添加量やｐＨ調整剤の添加量や、リズナー指数の範囲ごとのスケール分散剤の添加量やｐＨ調整剤の添加量がテーブル化して記憶されている。また、これらのスケール分散剤の添加量やｐＨ調整剤の添加量は、データテーブルにおいて、原水Ｗ１の温度ごとにテーブル化されている。これにより、遠隔制御装置５は、管理対象となる複数の逆浸透膜分離装置２ａ〜２ｃの膜に関する仕様情報と、分析データ格納部５２に格納された原水Ｗ１のシリカ濃度、ランゲリア指数及びリズナー指数のいずれか１つ以上に係る分析データの近時情報とに基づいて、複数の逆浸透膜分離装置２ａ〜２ｃそれぞれに対し、スケール分散剤の添加量を選択することができる。
【０１３５】
遠隔制御装置５におけるステップＳ４１６において、遠隔制御装置５は、複数の逆浸透膜分離装置２ａ〜２ｃそれぞれに対して、予め設定されたスケール分散剤の添加量がデータテーブルから選択された新たなスケール分散剤の添加量に更新されるように遠隔制御により設定変更を行う。ステップＳ４１６の処理の後に、遠隔制御装置５の処理は終了する（ステップＳ４１１へリターンする）。
【０１３６】
逆浸透膜分離装置２ａ，２ｂ，２ｃにおけるステップＳ４２２，Ｓ４３２，Ｓ４４２において、逆浸透膜分離装置２ａ，２ｂ，２ｃのスケール分散剤の添加量は、予め設定されたスケール分散剤の添加量が新たなスケール分散剤の添加量に更新されるように、遠隔制御装置５の遠隔制御により設定変更される。ステップＳ４２２，Ｓ４３２，Ｓ４４２の処理の後に、逆浸透膜分離装置２ａ，２ｂ，２ｃの処理は終了する（ステップＳ４２１，Ｓ４３１，Ｓ４４１へリターンする）。
【０１３７】
逆浸透膜分離装置の遠隔管理制御システム１の第２遠隔制御例の第５動作例について説明する。図８は、本実施形態の逆浸透膜分離装置の遠隔管理制御システム１の第５動作例の処理手順を示すフローチャートである。図８に示すフローチャートの処理は、逆浸透膜分離装置の遠隔管理制御システム１の運転中において、繰り返し実行される。図８に示すフローチャートによる制御においては、複数の逆浸透膜分離装置２ａ〜２ｃは、原水Ｗ１を透過水（処理水）Ｗ２及び濃縮水Ｗ３に分離する動作を実行している。
【０１３８】
図８に示す逆浸透膜分離装置２ａにおけるステップＳ５２１、逆浸透膜分離装置２ｂにおけるステップＳ５３１、逆浸透膜分離装置２ｃにおけるステップＳ５４１、遠隔制御装置５におけるステップＳ５１１〜Ｓ５１３の処理は、図４に示す逆浸透膜分離装置２ａにおけるステップＳ１２１、逆浸透膜分離装置２ｂにおけるステップＳ１３１、逆浸透膜分離装置２ｃにおけるステップＳ１４１、遠隔制御装置５におけるステップＳ１１１〜Ｓ１１３にそれぞれ対応し、それぞれの処理と同様である。そのため、逆浸透膜分離装置２ａにおけるステップＳ５２１、逆浸透膜分離装置２ｂにおけるステップＳ５３１、逆浸透膜分離装置２ｃにおけるステップＳ５４１、遠隔制御装置５におけるステップＳ５１１〜Ｓ５１３の説明を省略する。
【０１３９】
遠隔制御装置５におけるステップＳ５１４〜Ｓ５１６の処理は、図７に示す遠隔制御装置５におけるステップＳ４１４〜Ｓ４１６の処理と同様であるため、遠隔制御装置５におけるステップＳ５１４〜Ｓ５１６の説明を省略する。
【０１４０】
逆浸透膜分離装置２ａ，２ｂ，２ｃにおけるステップＳ５２２，Ｓ５３２，Ｓ５４２において、逆浸透膜分離装置２ａ，２ｂ，２ｃのスケール分散剤の添加量は、予め設定されたスケール分散剤の添加量が新たなスケール分散剤の添加量に更新されるように、遠隔制御装置５の遠隔制御により設定変更される。ステップＳ５２２，Ｓ５３２，Ｓ５４２の処理の後に、逆浸透膜分離装置２ａ，２ｂ，２ｃの処理は終了する（ステップＳ５２１，Ｓ５３１，Ｓ５４１へリターンする）。
【０１４１】
逆浸透膜分離装置の遠隔管理制御システム１の第２遠隔制御例の第６動作例について説明する。図９は、本実施形態の逆浸透膜分離装置の遠隔管理制御システム１の第６動作例の処理手順を示すフローチャートである。図９に示すフローチャートの処理は、逆浸透膜分離装置の遠隔管理制御システム１の運転中において、繰り返し実行される。図９に示すフローチャートによる制御においては、複数の逆浸透膜分離装置２ａ〜２ｃは、原水Ｗ１を透過水（処理水）Ｗ２及び濃縮水Ｗ３に分離する動作を実行している。
【０１４２】
図９に示す逆浸透膜分離装置２ａにおけるステップＳ６２１及びＳ６２２、逆浸透膜分離装置２ｂにおけるステップＳ６３１及びＳ６３２、遠隔制御装置５におけるステップＳ６１１〜Ｓ６１４の処理は、図６に示す逆浸透膜分離装置２ａにおけるステップＳ３２１及びＳ３２２、逆浸透膜分離装置２ｂにおけるステップＳ３３１及びＳ３３２、遠隔制御装置５におけるステップＳ３１１〜Ｓ３１４にそれぞれ対応し、それぞれの処理と同様である。そのため、逆浸透膜分離装置２ａにおけるステップＳ６２１及びＳ６２２、逆浸透膜分離装置２ｂにおけるステップＳ６３１及びＳ６３２、遠隔制御装置５におけるステップＳ６１１〜Ｓ６１４の説明を省略する。
【０１４３】
遠隔制御装置５におけるステップＳ６１５〜Ｓ６１７の処理は、図７に示す遠隔制御装置５におけるステップＳ４１４〜Ｓ４１６の処理と同様であるため、遠隔制御装置５におけるステップＳ６１５〜Ｓ６１７の説明を省略する。
【０１４４】
逆浸透膜分離装置２ａ，２ｂ，２ｃにおけるステップＳ６２３，Ｓ６３３，Ｓ６４１において、逆浸透膜分離装置２ａ，２ｂ，２ｃのスケール分散剤の添加量は、予め設定されたスケール分散剤の添加量が新たなスケール分散剤の添加量に更新されるように、遠隔制御装置５の遠隔制御により設定変更される。ステップＳ６２３，Ｓ６３３，Ｓ６４１の処理の後に、逆浸透膜分離装置２ａ，２ｂ，２ｃの処理は終了する（ステップＳ６２１，Ｓ６３１，Ｓ６４１へリターンする）。
【０１４５】
次に、逆浸透膜分離装置の遠隔管理制御システム１の第３遠隔制御例の第７動作例〜第９動作例について説明する。図１０〜図１２は、本実施形態の逆浸透膜分離装置の遠隔管理制御システム１の第７動作例〜第９動作例の処理手順を示すフローチャートである。
逆浸透膜分離装置の遠隔管理制御システム１の第３遠隔制御例の第７動作例〜第９動作例は、図１０〜図１２に示すように、ステップ番号の百の位の数字について、図７〜図９に示す第２遠隔制御例の第４動作例〜第６動作例における「４」、「５」、「６」を、「７」、「８」、「９」に置き換えると共に、図７〜図９に示す第４動作例〜第６動作例のステップＳ４１５、Ｓ５１５、Ｓ６１６における「スケール分散剤の添加量を選択」を、図１０〜図１２に示す第７動作例〜第９動作例のステップＳ７１５、Ｓ８１５、Ｓ９１６において「ｐＨ調整剤の添加量を選択」に置き換えたものである。また、図１０〜図１２に示す第３遠隔制御例の第７動作例〜第９動作例のステップＳ７１５、Ｓ８１５、Ｓ９１６の処理の説明が、第２遠隔制御例の第４動作例〜第６動作例のステップＳ４１５、Ｓ５１５、Ｓ６１６の処理の説明と異なる点以外は、図７〜図９に示す第２遠隔制御例の第４動作例〜第６動作例の説明における「スケール分散剤」を、「ｐＨ調整剤」と置き換えたものと同様である。
そのため、図１０〜図１２に示す第３遠隔制御例の第７動作例〜第９動作例の説明においては、ステップＳ７１５、Ｓ８１５、Ｓ９１６の処理の説明を主体に行い、その他の処理については、図７〜図９に示す第２遠隔制御例の第４動作例〜第６動作例の説明を援用して、その説明を省略する。
【０１４６】
図１０〜図１２に示す第３遠隔制御例の第７動作例〜第９動作例におけるステップＳ７１５、Ｓ８１５、Ｓ９１６において、遠隔制御装置５は、複数の逆浸透膜分離装置２ａ〜２ｃそれぞれにおいてｐＨ調整剤の添加量をＲＯ記憶部２４のデータテーブルから選択する。具体的には、ＲＯ記憶部２４には、複数の逆浸透膜分離装置２ａ〜２ｃに組み込まれたＲＯ膜モジュール２２ａ〜２２ｃの膜エレメントに関する仕様情報に対応するｐＨ調整剤の添加量のデータテーブルが、複数の逆浸透膜分離装置２ａ〜２ｃごとに記憶されている。これにより、遠隔制御装置５は、管理対象となる複数の逆浸透膜分離装置２ａ〜２ｃの膜に関する仕様情報と、分析データ格納部５２に格納された原水Ｗ１のシリカ濃度、ランゲリア指数及びリズナー指数のいずれか１つ以上に係る分析データの近時情報とに基づいて、複数の逆浸透膜分離装置２ａ〜２ｃそれぞれに対し、ｐＨ調整剤の添加量を選択することができる。本実施形態においては、原水Ｗ１のシリカ濃度が上昇したと判定された場合には、原水Ｗ１に添加するアルカリ性薬剤の添加量を選択する。原水Ｗ１のランゲリア指数又はリズナー指数がスケール生成傾向範囲内にある場合には、原水Ｗ１に添加する酸性薬剤の添加量を選択する。
【０１４７】
本実施形態の逆浸透膜分離装置の遠隔管理制御システム１によれば、例えば、以下に示す効果が奏される。
本実施形態の逆浸透膜分離装置の遠隔管理制御システム１は、同一水源４から原水Ｗ１をＲＯ膜モジュール２２ａ〜２２ｃに導入することで原水Ｗ１から透過水を処理水Ｗ２として分離する複数の逆浸透膜分離装置２ａ〜２ｃと、複数の逆浸透膜分離装置２ａ〜２ｃを遠隔制御する遠隔制御部５１と、取得された原水Ｗ１のシリカ濃度、ランゲリア指数及びリズナー指数のいずれか１つ以上の分析データを格納する分析データ格納部５２と、を備え、遠隔制御部５１は、ＲＯ膜モジュール２２ａ〜２２ｃの膜に関する仕様情報と、分析データ格納部５２に格納された原水Ｗ１のシリカ濃度、ランゲリア指数及びリズナー指数のいずれか１つ以上に係る分析データの近時情報とに基づいて、複数の逆浸透膜分離装置２ａ〜２ｃそれぞれに対し、回収率、原水Ｗ１に添加するスケール分散剤の添加量、及び原水Ｗ１に添加するｐＨ調整剤の添加量のいずれか１つを遠隔制御により設定変更する。
【０１４８】
そのため、同一水源４の原水Ｗ１のシリカ濃度、ランゲリア指数及びリズナー指数のいずれか１つ以上が変動した場合に、複数の逆浸透膜分離装置２ａ〜２ｃの回収率、原水に添加するスケール分散剤の添加量、及び原水に添加するｐＨ調整剤の添加量のいずれか１つの設定を、遠隔制御により変更して、複数の逆浸透膜分離装置２ａ〜２ｃを、一群の逆浸透膜分離装置として、総合的に管理することができる。この結果、複数の逆浸透膜分離装置の全てにおいて、最適な回収率となり、処理水Ｗ２の水量を十分に確保することができると共に、処理水Ｗ２の品質が維持される。また、複数の逆浸透膜分離装置の全てにおいて、最適な原水Ｗ１に添加するスケール分散剤の添加量、及び最適な原水Ｗ１に添加するｐＨ調整剤の添加量となり、スケール分散剤及びｐＨ調整剤の無駄な消費が抑制されると共に、処理水Ｗ２の品質が維持される。
【０１４９】
また、本実施形態の逆浸透膜分離装置の遠隔管理制御システム１においては、遠隔制御部５１は、ＲＯ膜モジュール２２ａ〜２２ｃの回収率の設定を変更する場合において、分析データ格納部５２に格納された原水Ｗ１のシリカ濃度、ランゲリア指数及びリズナー指数のいずれか１つの経時変動幅が所定の範囲外の場合に、複数の逆浸透膜分離装置２ａ〜２ｃそれぞれに対し、予め設定された回収率がＲＯ記憶部２４のデータテーブルから選択された新たな回収率に更新されるように遠隔制御により設定変更する。
【０１５０】
そのため、ＲＯ膜モジュール２２ａ〜２２ｃの回収率の設定を変更する場合において、複数の逆浸透膜分離装置２ａ〜２ｃは、原水Ｗ１のシリカ濃度、ランゲリア指数及びリズナー指数のいずれか１つに応じて、回収率が最適値になるように更新される。この結果、逆浸透膜分離装置の全てにおいて、最適な回収率で常に実行されることになり、処理水Ｗ２の水量を十分に確保することができると共に、処理水Ｗ２の品質が維持される。
【０１５１】
また、本実施形態の逆浸透膜分離装置の遠隔管理制御システム１においては、遠隔制御部５１は、ＲＯ膜モジュール２２ａ〜２２ｃへ導入される原水Ｗ１に添加するスケール分散剤の添加量の設定を変更する場合において、原水Ｗ１のシリカ濃度が上昇した場合、又は、ランゲリア指数及びリズナー指数のいずれか１つがスケール生成傾向範囲内にある場合に、複数の逆浸透膜分離装置２ａ〜２ｃそれぞれに対し、スケール分散剤添加装置６ａ〜６ｃによりスケール分散剤を添加するように遠隔制御により設定変更する。
【０１５２】
そのため、ＲＯ膜モジュール２２ａ〜２２ｃへ導入される原水Ｗ１に添加するスケール分散剤の添加量の設定を変更する場合において、原水Ｗ１のシリカ濃度、ランゲリア指数及びリズナー指数のいずれか１つに応じて、原水Ｗ１の炭酸カルシウム成分やシリカ成分等を分散させてスケールの析出を抑制するような最適なスケール分散剤の添加量となり、スケール分散剤の無駄な消費が抑制されると共に、処理水Ｗ２の品質が維持される。
【０１５３】
また、本実施形態の逆浸透膜分離装置の遠隔管理制御システム１においては、遠隔制御部５１は、ＲＯ膜モジュール２２ａ〜２２ｃへ導入される原水Ｗ１に添加するｐＨ調整剤の添加量の設定を変更する場合において、複数の逆浸透膜分離装置２ａ〜２ｃそれぞれに対し、原水Ｗ１のシリカ濃度が上昇した場合にｐＨ調整剤添加装置７ａ〜７ｃによりアルカリ性薬剤を添加するように遠隔制御により設定変更し、又は、ランゲリア指数及びリズナー指数のいずれか１つがスケール生成傾向範囲内にある場合にｐＨ調整剤添加装置７ａ〜７ｃにより酸性薬剤を添加するように遠隔制御により設定変更する。
【０１５４】
そのため、ＲＯ膜モジュール２２ａ〜２２ｃへ導入される原水Ｗ１に添加するｐＨ調整剤の添加量の設定を変更する場合において、原水Ｗ１のシリカ濃度、ランゲリア指数及びリズナー指数のいずれか１つに応じて、スケールの析出を抑制するような最適なｐＨ調整剤の添加量となり、ｐＨ調整剤の無駄な消費が抑制されると共に、処理水Ｗ２の品質が維持される。
【０１５５】
以上、本発明の好適な実施形態について説明したが、本発明は、前述した実施形態に限定されることなく、種々の形態で実施することができる。
例えば、前述の実施形態においては、複数の逆浸透膜分離装置として、３台の逆浸透膜分離装置について説明したが、これに制限されない。本発明は、同一水源からの原水が導入される逆浸透膜分離装置群の遠隔制御を対象にしているので、数十台から数百台規模の逆浸透膜分離装置群に対しても適用することが可能となっている。
【０１５６】
また、前述の実施形態においては、複数の逆浸透膜分離装置２ａ〜２ｃの全てに対して同一項目（回収率、スケール分散剤の添加量、又はｐＨ調整剤の添加量）の設定変更を行う場合について説明したが、これに制限されない。複数の逆浸透膜分離装置２ａ〜２ｃ毎に異なる項目の設定変更を行ってもよい。例えば、逆浸透膜分離装置２ａについては、回収率を遠隔制御により設定変更するようにし、逆浸透膜分離装置２ｂについては、スケール分散剤の添加量を遠隔制御により設定変更するようにし、逆浸透膜分離装置２ｃについては、ｐＨ調整剤の添加量を遠隔制御により設定変更するように、スケール防止の方法を装置毎に異ならせることができる。
【０１５７】
また、前述の実施形態においては、複数の逆浸透膜分離装置２ａ〜２ｃの全ての装置の回収率、スケール分散剤の添加量又はｐＨ調整剤の添加量を遠隔制御により設定変更したが、これに制限されない。複数の逆浸透膜分離装置２ａ〜２ｃの一部の装置の回収率、スケール分散剤の添加量又はｐＨ調整剤の添加量を遠隔制御により設定変更してもよい。
【０１５８】
また、前述の実施形態においては、近時情報として、直近の２個の分析データを使用する例について説明したが、これに制限されず、例えば、直近の３個以上の分析データを使用してもよい。
【０１５９】
また、前述の実施形態において、第１動作例（第４動作例及び第７動作例）においては、原水のシリカ濃度の検出の回数（ランゲリア指数の算出の回数又はリズナー指数の算出の回数）が装置毎に各１回であって、分析データを取得して分析データ格納部５２に格納する回数は、計３回であった。第２動作例（第５動作例及び第８動作例）においては、サンプル水の採水の回数が装置毎に各１回であって、分析データを取得して分析データ格納部５２に格納する回数は、計３回であった。第３動作例（第６動作例及び第９動作例）においては、逆浸透膜分離装置２ａにおいてサンプル水の採水の回数及び原水のシリカ濃度の検出の回数（ランゲリア指数の算出の回数又はリズナー指数の算出の回数）が各１回であり、逆浸透膜分離装置２ｂにおいてサンプル水の採水の回数及び原水のシリカ濃度の検出の回数（ランゲリア指数の算出の回数又はリズナー指数の算出の回数）が各１回であって、分析データを取得して分析データ格納部５２に格納する回数は、計４回であった。しかし、分析データを分析データ格納部５２に格納する回数は、これに制限されない。本発明は、複数の逆浸透膜分離装置における分析データが得られたときには、分析データの取得の回数に制限はなく、複数の逆浸透膜分離装置における分析データを、逐次、分析データ格納部５２に格納する。
【符号の説明】
【０１６０】
１  逆浸透膜分離装置の遠隔管理制御システム
２、２ａ〜２ｃ  逆浸透膜分離装置
６、６ａ〜６ｃ  スケール分散剤添加装置（スケール分散剤添加手段）
７、７ａ〜７ｃ  ｐＨ調整剤添加装置（ｐＨ調整剤添加手段）
２１、２１ａ〜２１ｃ  ＲＯ膜モジュール（逆浸透膜モジュール）
２４、２４ａ〜２４ｃ  ＲＯ記憶部（記憶部）
４  水源
５１  遠隔制御部
５２  分析データ格納部
Ｗ１  原水
Ｗ２、Ｗ２ａ〜Ｗ２ｃ  処理水、透過水
Ｗ３、Ｗ３ａ〜Ｗ３ｃ  濃縮水
【図１】
2015231606.tif 000003
【図２】
2015231606.tif 000004
【図３】
2015231606.tif 000005
【図４】
2015231606.tif 000006
【図５】
2015231606.tif 000007
【図６】
2015231606.tif 000008
【図７】
2015231606.tif 000009
【図８】
2015231606.tif 000010
【図９】
2015231606.tif 000011
【図１０】
2015231606.tif 000012
【図１１】
2015231606.tif 000013
【図１２】
2015231606.tif 000014